(57)【要約】  本発明は、アクセス方法、装置、デバイス、及びシステムを開示し、本発明は通信技術の分野に属する。本方法は、無線アクセスネットワークノードＲＡＮ  Ｎｏｄｅによって送信されたユーザ機器ＵＥのアクセス要求を選択機能エンティティＳＦＥが受信する段階と、ＵＥのアクセス要求に基づいてＵＥの使用種別を判定する段階と、ＵＥの使用種別に基づいてＵＥ用に、専用コアネットワーク内にあり且つＵＥにサービスを提供できるノードを選択する段階とを含む。ここで、専用コアネットワーク内にあり且つＵＥにサービスを提供できるノードは、ＵＥの使用種別に対応する。したがって、ＵＥによってアクセスされるノードが、ＵＥに対応する専用コアネットワークのノードであり、これにより、当該ノードはＵＥのセキュリティ検証を確実に完了できるようになる。さらに本方法では、アタッチ手順又はＴＡＵ手順が１回しか行われないので、シグナリングのやり取りを減らすことができ、ノードの処理遅延及び処理負荷が減少する。本方法では、ノードの機能を再設計する必要はない。さらに、専用コアネットワーク間のやり取りが回避され、これにより、専用コアネットワーク間の相互分離が確保される。
2019514273.tif 000002
【特許請求の範囲】
【請求項１】
専用コアネットワークに適用されるアクセス方法であって、
無線アクセスネットワークノードＲＡＮ  Ｎｏｄｅによって送信されたユーザ機器ＵＥのアクセス要求を選択機能エンティティＳＦＥが受信する段階と、
前記ＵＥの前記アクセス要求に基づいて前記ＵＥの使用種別を前記ＳＦＥが判定する段階と、
前記ＵＥの前記使用種別に基づいて前記ＵＥ用に、専用コアネットワーク内にあり且つ前記ＵＥにサービスを提供できるノードを前記ＳＦＥが選択する段階と
を備え、
前記専用コアネットワーク内にあり且つ前記ＵＥにサービスを提供できる前記ノードは、前記ＵＥの前記使用種別に対応する、方法。
【請求項２】
前記ＵＥの前記アクセス要求に基づいて前記ＵＥの使用種別を判定する前記段階は、前記ＵＥの前記使用種別を前記アクセス要求から直接取得する段階を有する、請求項１に記載の方法。
【請求項３】
前記ＵＥの前記アクセス要求に基づいて前記ＵＥの使用種別を判定する前記段階は、
前記ＵＥのＩＤを取得する段階と、
加入者データ要求をホーム加入者サーバＨＳＳに送信する段階であって、前記加入者データ要求は前記ＵＥの前記ＩＤを含む、段階と、
前記ＨＳＳによって返信された前記ＵＥの加入者データを受信する段階であって、前記ＵＥの前記加入者データは前記ＵＥの前記使用種別を含む、段階と、
前記ＵＥの前記使用種別を前記ＵＥの前記加入者データから取得する段階と
を有する、請求項１に記載の方法。
【請求項４】
前記ＵＥのＩＤを取得する前記段階は、
前記ＵＥの前記ＩＤを前記アクセス要求から取得する段階を有するか、又は、
前記ＵＥのＩＤを取得する前記段階は、
ＩＤ要求を前記ＵＥに送信する段階であって、前記ＩＤ要求は前記ＵＥの前記ＩＤを要求するのに用いられる、段階と、
前記ＵＥによって返信された前記ＵＥの前記ＩＤを受信する段階と
を有するか、又は、
前記ＵＥのＩＤを取得する前記段階は、
前記アクセス要求内にある前記ＵＥの一時ＩＤを取得する段階であって、前記ＵＥの前記一時ＩＤは、前記ＵＥが配置されているソース専用コアネットワークのノードによって前記ＵＥに割り当てられる、段階と、
前記ソース専用コアネットワークの前記ノードにコンテキスト要求を送信する段階であって、前記コンテキスト要求は前記ＵＥの前記一時ＩＤを含み、前記コンテキスト要求は前記ＵＥのコンテキストを要求するのに用いられる、段階と、
前記ソース専用コアネットワークの前記ノードによって返信された前記ＵＥの前記コンテキストを受信し、前記ＵＥの前記ＩＤを前記ＵＥの前記コンテキストから取得する段階と
を有する、請求項３に記載の方法。
【請求項５】
前記ＵＥの前記アクセス要求に基づいて前記ＵＥの使用種別を判定する前記段階は、
前記アクセス要求内にある前記ＵＥの一時ＩＤを取得する段階であって、前記ＵＥの前記一時ＩＤは、前記ＵＥが配置されているソース専用コアネットワークのノードによって前記ＵＥに割り当てられる、段階と、
前記ソース専用コアネットワークの前記ノードにコンテキスト要求を送信する段階であって、前記コンテキスト要求は前記ＵＥの前記一時ＩＤを含み、前記コンテキスト要求は前記ＵＥのコンテキストを要求するのに用いられる、段階と、
前記ソース専用コアネットワークの前記ノードによって返信された前記ＵＥの前記コンテキストを受信し、前記ＵＥの前記使用種別を前記ＵＥの前記コンテキストから取得する段階と
を有する、請求項１に記載の方法。
【請求項６】
前記ＵＥの前記使用種別に基づいて前記ＵＥ用に、専用コアネットワーク内にあり且つ前記ＵＥにサービスを提供できるノードを選択する前記段階の後に、前記方法はさらに、
リダイレクトメッセージを前記ＲＡＮ  Ｎｏｄｅに送信する段階を備え、前記リダイレクトメッセージは、対応する前記専用コアネットワーク内にあり且つ前記ＳＦＥによって前記ＵＥ用に選択される前記ノードに関する情報を含み、これにより、前記ＲＡＮ  Ｎｏｄｅは前記ＵＥに対応する前記専用コアネットワークの前記ノードに前記アクセス要求を送信する、請求項１から５のいずれか一項に記載の方法。
【請求項７】
前記ＵＥの前記使用種別に基づいて前記ＵＥ用に、専用コアネットワーク内にあり且つ前記ＵＥにサービスを提供できるノードを選択する前記段階の後に、前記方法はさらに、
前記ＵＥに対応する前記専用コアネットワークの前記ノードに前記アクセス要求を直接送信する段階を備える、請求項１から５のいずれか一項に記載の方法。
【請求項８】
前記ＵＥに対応する前記専用コアネットワークの前記ノードに前記アクセス要求を直接送信する前記段階は、
前記ＵＥに対応する前記専用コアネットワークの前記ノードへのＳ１接続を確立する段階と、
前記Ｓ１接続を用いて、前記ＵＥに対応する前記専用コアネットワークの前記ノードに前記アクセス要求を送信する段階と
を有する、請求項７に記載の方法。
【請求項９】
前記ＵＥに対応する前記専用コアネットワークの前記ノードに前記アクセス要求を直接送信する前記段階の後に、前記方法はさらに、
前記ＲＡＮ  Ｎｏｄｅと前記ＵＥに対応する前記専用コアネットワークの前記ノードとの間の転送ノードとしての前記ＳＦＥが、前記ＲＡＮ  Ｎｏｄｅと前記ＵＥに対応する前記専用コアネットワークの前記ノードとの間でメッセージを転送する段階を備える、請求項７又は８に記載の方法。
【請求項１０】
前記ＲＡＮ  Ｎｏｄｅと前記ＵＥに対応する前記専用コアネットワークの前記ノードとの間でメッセージを転送する前記段階は、
前記ＵＥに対応する前記専用コアネットワークの前記ノードによって送信されたメッセージを受信する段階と、
前記メッセージを前記ＲＡＮ  Ｎｏｄｅに転送する段階と
を有するか、又は、
前記ＲＡＮ  Ｎｏｄｅによって送信されたメッセージを受信する段階と、
前記ＵＥに対応する前記専用コアネットワークの前記ノードに前記メッセージを転送する段階と
を有する、請求項９に記載の方法。
【請求項１１】
専用コアネットワークに適用されるアクセス方法であって、
ユーザ機器ＵＥによって送信されたアクセス要求を無線アクセスネットワークノードＲＡＮ  Ｎｏｄｅが受信する段階と、
前記ＵＥのソース専用コアネットワークのノードの識別子が前記アクセス要求から取得できない場合、又は前記アクセス要求で搬送されるソース専用コアネットワークのノードの識別子が、事前設定されたノード識別子テーブルにない場合、前記ソース専用コアネットワークの前記ノードが到達不能であると前記ＲＡＮ  Ｎｏｄｅが判定する段階と、
前記アクセス要求を選択機能エンティティＳＦＥに前記ＲＡＮ  Ｎｏｄｅが送信する段階と
を備える、方法。
【請求項１２】
前記方法はさらに、
前記ＵＥに対応する専用コアネットワーク内にあり且つ前記選択機能エンティティＳＦＥによって判定されるノードを前記ＲＡＮ  Ｎｏｄｅが受け入れる段階であって、前記ＵＥに対応する前記専用コアネットワークの前記ノードは、前記ＵＥの使用種別に基づいて前記ＵＥ用に選択され且つ専用コアネットワーク内にあり且つ前記ＵＥにサービスを提供できるノードである、段階と、
前記ＵＥに対応する前記専用コアネットワークの前記ノードに前記ＵＥの前記アクセス要求を送信する段階と
を備える、請求項１１に記載の方法。
【請求項１３】
前記アクセス要求をＳＦＥに送信する前記段階は、前記アクセス要求を前記ＳＦＥに送信し、前記ＳＦＥを用いて、前記ＵＥに対応する前記専用コアネットワークの前記ノードに前記アクセス要求を直接送信する段階を有する、請求項１１又は１２に記載の方法。
【請求項１４】
前記アクセス要求をＳＦＥに送信する前記段階の後に、前記方法はさらに、
前記ＲＡＮ  Ｎｏｄｅと前記ＵＥに対応する前記専用コアネットワークの前記ノードとの間の転送ノードとして前記ＳＦＥを用いて、前記ＵＥに対応する前記専用コアネットワークの前記ノードにメッセージを送信するか、又は前記ＵＥに対応する前記専用コアネットワークの前記ノードによって送信されたメッセージを受信する段階を備える、請求項１１から１３のいずれか一項に記載の方法。
【請求項１５】
専用コアネットワークに適用されるアクセス装置であって、
無線アクセスネットワークノードＲＡＮ  Ｎｏｄｅによって送信されたユーザ機器ＵＥのアクセス要求を受信するように構成された受信ユニットと、
前記ＵＥの前記アクセス要求に基づいて前記ＵＥの使用種別を判定し、前記ＵＥの前記使用種別に基づいて前記ＵＥ用に、専用コアネットワーク内にあり且つ前記ＵＥにサービスを提供できるノードを選択するように構成された処理ユニットと
を備え、
前記専用コアネットワーク内にあり且つ前記ＵＥにサービスを提供できる前記ノードは、前記ＵＥの前記使用種別に対応する、装置。
【請求項１６】
前記処理ユニットは、前記ＵＥの前記使用種別を前記アクセス要求から直接取得するように構成される、請求項１５に記載の装置。
【請求項１７】
前記処理ユニットは、
前記ＵＥのＩＤを取得することと、
加入者データ要求をＨＳＳに送信することであって、前記加入者データ要求は前記ＵＥの前記ＩＤを含み、前記加入者データ要求は前記ＵＥの加入者データを要求するのに用いられる、送信することと、
前記ＨＳＳによって返信された前記ＵＥの前記加入者データを受信することと、
前記ＵＥの前記使用種別を前記ＵＥの前記加入者データから取得することと
を行うように構成される、請求項１５に記載の装置。
【請求項１８】
前記処理ユニットは、
前記ＵＥの前記ＩＤを前記アクセス要求から取得するように構成されるか、又は、
前記処理ユニットは、
ＩＤ要求を前記ＵＥに送信することであって、前記ＩＤ要求は前記ＵＥの前記ＩＤを要求するのに用いられる、送信することと、
前記ＵＥによって返信された前記ＵＥの前記ＩＤを受信することと
を行うように構成されるか、又は、
前記処理ユニットは、
前記アクセス要求内にある前記ＵＥの一時ＩＤを取得することであって、前記ＵＥの前記一時ＩＤは、前記ＵＥが配置されているソース専用コアネットワークのノードによって前記ＵＥに割り当てられる、取得することと、
前記ソース専用コアネットワークの前記ノードにコンテキスト要求を送信することであって、前記コンテキスト要求は前記ＵＥの前記一時ＩＤを含み、前記コンテキスト要求は前記ＵＥのコンテキストを要求するのに用いられる、送信することと、
前記ソース専用コアネットワークの前記ノードによって返信された前記ＵＥの前記コンテキストを受信し、前記ＵＥの前記ＩＤを前記ＵＥの前記コンテキストから取得することと
を行うように構成される、請求項１７に記載の装置。
【請求項１９】
前記処理ユニットは、
前記アクセス要求内にある前記ＵＥの一時ＩＤを取得することであって、前記ＵＥの前記一時ＩＤは、前記ＵＥが配置されているソース専用コアネットワークのノードによって前記ＵＥに割り当てられる、取得することと、
前記ソース専用コアネットワークの前記ノードにコンテキスト要求を送信することであって、前記コンテキスト要求は前記ＵＥの前記一時ＩＤを含み、前記コンテキスト要求は前記ＵＥのコンテキストを要求するのに用いられる、送信することと、
前記ソース専用コアネットワークの前記ノードによって返信された前記ＵＥの前記コンテキストを受信し、前記ＵＥの前記使用種別を前記ＵＥの前記コンテキストから取得することと
を行うように構成される、請求項１５に記載の装置。
【請求項２０】
前記装置はさらに、リダイレクトメッセージを前記ＲＡＮ  Ｎｏｄｅに送信するように構成された送信ユニットを備え、前記リダイレクトメッセージは、対応する前記専用コアネットワーク内にあり且つ前記ＳＦＥによって前記ＵＥ用に選択される前記ノードに関する情報を含み、これにより、前記ＲＡＮ  Ｎｏｄｅは、前記ＵＥに対応する前記専用コアネットワークの前記ノードに前記アクセス要求を送信する、請求項１５から１９のいずれか一項に記載の装置。
【請求項２１】
前記装置はさらに、前記ＵＥに対応する前記専用コアネットワークの前記ノードに前記アクセス要求を直接送信するように構成された送信ユニットを備える、請求項１５から１９のいずれか一項に記載の装置。
【請求項２２】
前記送信ユニットは、
前記ＵＥに対応する前記専用コアネットワークの前記ノードへのＳ１接続を確立し、
前記Ｓ１接続を用いて、前記ＵＥに対応する前記専用コアネットワークの前記ノードに前記アクセス要求を送信するように構成される、請求項２１に記載の装置。
【請求項２３】
前記送信ユニットは、前記ＲＡＮ  Ｎｏｄｅと前記ＵＥに対応する前記専用コアネットワークの前記ノードとの間の転送ノードとして、前記ＲＡＮ  Ｎｏｄｅと前記ＵＥに対応する前記専用コアネットワークの前記ノードとの間でメッセージを転送するように構成される、請求項２１又は２２に記載の装置。
【請求項２４】
前記受信ユニットはさらに、前記ＵＥに対応する前記専用コアネットワークの前記ノードによって送信されたメッセージを受信するように構成され、
前記送信ユニットは、前記メッセージを前記ＲＡＮ  Ｎｏｄｅに転送するように構成されるか、又は、
前記受信ユニットはさらに、前記ＲＡＮ  Ｎｏｄｅによって送信されたメッセージを受信するように構成され、
前記送信ユニットは、前記ＵＥに対応する前記専用コアネットワークの前記ノードに前記メッセージを転送するように構成される、請求項２３に記載の装置。
【請求項２５】
専用コアネットワークに適用されるアクセス装置であって、
ユーザ機器ＵＥによって送信されたアクセス要求を受信するように構成された受信ユニットと、
前記ＵＥのソース専用コアネットワークのノードの識別子が前記アクセス要求から取得できない場合、又は前記アクセス要求で搬送されるソース専用コアネットワークのノードの識別子が、事前設定されたノード識別子テーブルにない場合、前記ソース専用コアネットワークの前記ノードが到達不能であると判定するように構成された処理ユニットと、
前記アクセス要求を選択機能エンティティＳＦＥに送信するように構成された送信ユニットと
を備える装置。
【請求項２６】
前記受信ユニットはさらに、前記ＵＥに対応する専用コアネットワーク内にあり且つ前記選択機能エンティティＳＦＥによって判定されるノードを受け入れるように構成され、前記ＵＥに対応する前記専用コアネットワークの前記ノードは、前記ＵＥの使用種別に基づいて前記ＳＦＥによって前記ＵＥ用に選択され且つ専用コアネットワーク内にあり且つ前記ＵＥにサービスを提供できるノードであり、
前記送信ユニットはさらに、前記ＵＥに対応する前記専用コアネットワークの前記ノードに前記ＵＥの前記アクセス要求を送信するように構成される、請求項２５に記載の装置。
【請求項２７】
前記送信ユニットは、前記アクセス要求を前記ＳＦＥに送信し、前記ＳＦＥを用いて、前記ＵＥに対応する前記専用コアネットワークの前記ノードに前記アクセス要求を直接送信するように構成される、請求項２５又は２６に記載の装置。
【請求項２８】
前記送信ユニットはさらに、前記ＲＡＮ  Ｎｏｄｅと前記ＵＥに対応する前記専用コアネットワークの前記ノードとの間の転送ノードとして前記ＳＦＥを用い、前記ＵＥに対応する前記専用コアネットワークの前記ノードにメッセージを送信するように構成され、
前記受信ユニットはさらに、前記ＲＡＮ  Ｎｏｄｅと前記ＵＥに対応する前記専用コアネットワークの前記ノードとの間の転送ノードとして前記ＳＦＥを用い、前記ＵＥに対応する前記専用コアネットワークの前記ノードによって送信されたメッセージを受信するように構成される、請求項２５から２７のいずれか一項に記載の装置。
【請求項２９】
専用コアネットワークに適用されるアクセスデバイスであって、前記アクセスデバイスは、プロセッサと、メモリと、通信インタフェースとを備え、
前記メモリはソフトウェアプログラム及びモジュールを格納するように構成され、
前記プロセッサは前記メモリに格納された前記ソフトウェアプログラム及び／又は前記モジュールを起動又は実行して、以下のオペレーション、すなわち、
無線アクセスネットワークノードＲＡＮ  Ｎｏｄｅによって送信されたユーザ機器ＵＥのアクセス要求を受信するオペレーションと、
前記ＵＥの前記アクセス要求に基づいて前記ＵＥの使用種別を判定するオペレーションと、
前記ＵＥの前記使用種別に基づいて前記ＵＥ用に、専用コアネットワーク内にあり且つ前記ＵＥにサービスを提供できるノードを選択するオペレーションであって、前記専用コアネットワーク内にあり且つ前記ＵＥにサービスを提供できる前記ノードは、前記ＵＥの前記使用種別に対応する、オペレーションと
を実施する、アクセスデバイス。
【請求項３０】
専用コアネットワークに適用されるアクセスデバイスであって、前記アクセスデバイスは、プロセッサと、メモリと、通信インタフェースとを備え、
前記メモリはソフトウェアプログラム及びモジュールを格納するように構成され、
前記プロセッサは、前記メモリに格納された前記ソフトウェアプログラム及び／又は前記モジュールを起動又は実行して、以下のオペレーション、すなわち、
ユーザ機器ＵＥによって送信されたアクセス要求を受信するオペレーションと、
前記ＵＥのソース専用コアネットワークのノードの識別子が前記アクセス要求から取得できない場合、又は前記アクセス要求で搬送されるソース専用コアネットワークのノードの識別子が、事前設定されたノード識別子テーブルにない場合、前記ソース専用コアネットワークの前記ノードが到達不能であると判定するオペレーションと、
前記アクセス要求を選択機能エンティティＳＦＥに送信するオペレーションと
を実施する、アクセスデバイス。
【請求項３１】
アクセスシステムであって、
無線アクセスネットワークノードＲＡＮ  Ｎｏｄｅによって送信されたユーザ機器ＵＥのアクセス要求を受信し、前記ＵＥの前記アクセス要求に基づいて前記ＵＥの使用種別を判定し、前記ＵＥの前記使用種別に基づいて前記ＵＥ用に、専用コアネットワーク内にあり且つ前記ＵＥにサービスを提供できるノードを選択するように構成された選択機能エンティティＳＦＥであって、前記専用コアネットワーク内にあり且つ前記ＵＥにサービスを提供できる前記ノードは、前記ＵＥの前記使用種別に対応する、選択機能エンティティＳＦＥと、
前記ユーザ機器ＵＥによって送信された前記アクセス要求を受信し、前記ＵＥのソース専用コアネットワークのノードの識別子が前記アクセス要求から取得できない場合、又は前記アクセス要求で搬送されるソース専用コアネットワークのノードの識別子が、事前設定されたノード識別子テーブルにない場合、前記ソース専用コアネットワークの前記ノードが到達不能であると判定し、前記アクセス要求を前記選択機能エンティティＳＦＥに送信するように構成された前記無線アクセスネットワークノードＲＡＮ  Ｎｏｄｅと
を備えるシステム。
【発明の詳細な説明】
【技術分野】
【０００１】
本発明は通信技術の分野に関し、特に、アクセス方法、装置、デバイス、及びシステムに関する。
【背景技術】
【０００２】
事業者が、同じハードウェアプラットフォーム上で、異なる種類の通信ユーザに異なる機能のネットワークを提供することがある。例えば、事業者はモバイルブロードバンド（Ｍｏｂｉｌｅ  ＢｒｏａｄＢａｎｄ、略してＭＢＢ）ネットワークをモバイルブロードバンドのユーザに提供し、マシンタイプ通信（Ｍａｃｈｉｎｅ  Ｔｙｐｅ  Ｃｏｍｍｕｎｉｃａｔｉｏｎ、略してＭＴＣ）ネットワークをマシンタイプ通信のユーザに提供することができる。
【０００３】
発展型パケットシステム（Ｅｖｏｌｖｅｄ  Ｐａｃｋｅｔ  Ｓｙｓｔｅｍ、略してＥＰＳ）ネットワークアーキテクチャを一例にとってみると、ＥＰＳネットワークアーキテクチャのパケットコアネットワーク（Ｅｖｏｌｖｅｄ  Ｐａｃｋｅｔ  Ｃｏｒｅ、略してＥＰＣ）が、専用コアネットワーク（Ｄｅｄｉｃａｔｅｄ  Ｃｏｒｅ、略してＤＥＣＯＲ）を導入することで、特定の機能を持った前述のネットワークを実現する。複数のＤＥＣＯＲがＥＰＣネットワークに配置され、各ＤＥＣＯＲは特定の種類のユーザにサービスを提供する。
【０００４】
複数のＤＥＣＯＲがネットワーク側に配置された場合、ネットワーク側は、使用種別（Ｕｓａｇｅ  Ｔｙｐｅ）属性をユーザ機器（Ｕｓｅｒ  Ｅｑｕｉｐｍｅｎｔ、略してＵＥ）に追加する。この属性は、ホーム加入者サーバ（Ｈｏｍｅ  Ｓｕｂｓｃｒｉｂｅｒ  Ｓｅｒｖｅｒ、略してＨＳＳ）に、ＵＥの加入者データの一部として格納される。ＵＥは、ネットワークにアクセスする場合、まずアタッチ（Ａｔｔａｃｈ）要求又は追跡領域更新（Ｔｒａｃｋｉｎｇ  Ａｒｅａ  Ｕｐｄａｔｅ、略してＴＡＵ）要求をｅＮｏｄｅＢ（ｅＮｏｄｅＢ、略してｅＮＢ）に送信する。ｅＮＢは、ＵＥによって送信されたアタッチ要求又はＴＡＵ要求を受信した後に、当該アタッチ要求又はＴＡＵ要求をｅＮＢに格納されたデフォルトのＤＥＣＯＲのＭＭＥに転送する。デフォルトのＤＥＣＯＲのＭＭＥは、アタッチ要求又はＴＡＵ要求を受信した後に、ＨＳＳに格納された加入者データ又はＵＥのソースＭＭＥに格納されたＵＥのコンテキストからＵＥの使用種別を取得し、次に、当該使用種別に基づいて当該ＵＥに対応するＤＥＣＯＲを判定する。ＵＥに対応するＤＥＣＯＲが、デフォルトのＤＥＣＯＲのＭＭＥが配置されているＤＥＣＯＲではないと判定された場合、デフォルトのＤＥＣＯＲのＭＭＥは、リダイレクト（Ｒｅｄｉｒｅｃｔｉｏｎ）メッセージをｅＮＢに送信し、アタッチ要求又はＴＡＵ要求を当該ＵＥに対応するＤＥＣＯＲのＭＭＥに送信するようｅＮＢに命令する。ＵＥに対応するＤＥＣＯＲのＭＭＥは、アタッチ要求又はＴＡＵ要求を受信した後に、ＵＥのアクセス手順を完了する。
【０００５】
しかしながら、前述のＵＥのアクセス処理は、以下の問題を抱えている。
【０００６】
（１）マルチネットワークのシナリオでは、異なるネットワークが異なる種類のＵＥ用に設計され、異なる種類のＵＥにはセキュリティ検証方法に関して差異がある。したがって、デフォルトのＭＭＥが配置されているＤＥＣＯＲが、ＵＥに対応するＤＥＣＯＲではない場合、デフォルトのＤＥＣＯＲのＭＭＥはＵＥのセキュリティ検証を完了できないことがある。
【０００７】
（２）ＵＥに対応するＤＥＣＯＲが、デフォルトのＭＭＥが配置されているＤＥＣＯＲではない場合、ＵＥ及びネットワーク側はアタッチ手順又はＴＡＵ手順を２回完了する。これにより、シグナリングの浪費が生じ、デフォルトのＤＥＣＯＲのＭＭＥの処理遅延及び処理負荷が増加する。
【０００８】
（３）デフォルトのＤＥＣＯＲのＭＭＥが前述の手順をサポートできるように、デフォルトのＤＥＣＯＲのＭＭＥの機能を再設計する必要がある。
【０００９】
（４）前述のＵＥのアクセス手順では、デフォルトのＭＭＥが配置されているＤＥＣＯＲと、ＵＥに対応するＤＥＣＯＲとが異なるネットワークである場合、デフォルトのＤＥＣＯＲのＭＭＥは前述の手順において、ＵＥが配置されているソースＤＥＣＯＲのＭＭＥからユーザコンテキストを取得する。これにより、ネットワーク分離が無効になる。
【発明の概要】
【００１０】
複数の専用コアネットワークを伴うシナリオにおけるＵＥアクセスの既存の問題を解決するために、本出願はアクセス方法、装置、デバイス、及びシステムを提供する。
【００１１】
第１の態様によれば、アクセス方法が提供され、専用コアネットワークに適用される。本方法は、無線アクセスネットワークノードＲＡＮ  Ｎｏｄｅによって送信されたユーザ機器ＵＥのアクセス要求を選択機能エンティティＳＦＥが受信する段階と、ＵＥのアクセス要求に基づいてＵＥの使用種別をＳＦＥが判定する段階と、ＵＥの使用種別に基づいてＵＥ用にＳＦＥが、専用コアネットワーク内にあり且つＵＥにサービスを提供できるノードを選択する段階とを含み、専用コアネットワーク内にあり且つＵＥにサービスを提供できるノードはＵＥの使用種別に対応する。
【００１２】
ＳＦＥは、ＵＥのアクセス要求を受信した場合、ＵＥのアクセス要求に基づいてＵＥの使用種別を判定し、ＵＥの使用種別に基づいて対応する専用コアネットワークのノードをＵＥ用に選択する。これにより、アクセス要求を当該ノードに送信し、その後のアクセス手順を完了する。したがって、ＵＥによってアクセスされるノードが、ＵＥに対応する専用コアネットワークのノードであり、これにより、当該ノードはＵＥのセキュリティ検証を確実に完了できるようになる。さらに本方法では、アタッチ手順又はＴＡＵ手順が１回しか行われないので、シグナリングのやり取りを減らすことができ、ノードの処理遅延及び処理負荷が減少する。本方法では、ノードの機能を再設計する必要はない。さらに、専用コアネットワーク間のやり取りが回避され、これにより、専用コアネットワーク間の相互分離が確保される。
【００１３】
第１の態様に関連して、第１の態様の第１の実装例では、アクセス要求は非アクセス層ＮＡＳ要求メッセージを含む。ＮＡＳ要求メッセージは、アタッチ要求メッセージ又は追跡領域更新ＴＡＵ要求メッセージである。
【００１４】
第１の態様又は第１の態様の第１の実装例に関連して、第１の態様の第２の実装例では、ＵＥのアクセス要求に基づいてＵＥの使用種別を判定する段階は、ＵＥの使用種別をアクセス要求から直接取得する段階を含む。
【００１５】
この実装例では、アクセス要求がＵＥの使用種別を搬送する場合、ＵＥの使用種別はアクセス要求から直接取得されてよい。この取得方法は比較的簡単なので、ＳＦＥの処理負荷を減らすことができる。
【００１６】
第１の態様又は第１の態様の第１の実装例に関連して、第１の態様の第３の実装例では、ＵＥのアクセス要求に基づいてＵＥの使用種別を判定する段階は、ＵＥのＩＤを取得する段階と、加入者データ要求をホーム加入者サーバＨＳＳに送信する段階であって、加入者データ要求はＵＥのＩＤを含み、加入者データ要求はＵＥの加入者データを要求するのに用いられる、段階と、ＨＳＳによって返信されたＵＥの加入者データを受信する段階であって、ＵＥの加入者データはＵＥの使用種別を含む、段階と、ＵＥの使用種別をＵＥの加入者データから取得する段階とを含む。
【００１７】
この実装例では、アクセス要求がＵＥの使用種別を直接搬送しない場合、ＵＥの使用種別を取得するために、ＵＥのＩＤに基づき、ＨＳＳサーバがＵＥの加入者データについて検索されてよい。
【００１８】
第１の態様の第３の実装例に関連して、第１の態様の第４の実装例では、ＵＥのＩＤを取得する段階は、ＵＥのＩＤをアクセス要求から取得する段階を含む。又は、ＵＥのＩＤを取得する段階は、ＵＥにＩＤ要求を送信する段階であって、ＩＤ要求はＵＥのＩＤを要求するのに用いられる、段階と、ＵＥによって返信されたＵＥのＩＤを受信する段階とを含む。又は、ＵＥのＩＤを取得する段階は、アクセス要求内にあるＵＥの一時ＩＤを取得する段階であって、ＵＥの一時ＩＤはＵＥが配置されているソース専用コアネットワークのノードによってＵＥに割り当てられる、段階と、コンテキスト要求をソース専用コアネットワークのノードに送信する段階であって、コンテキスト要求はＵＥの一時ＩＤを含み、コンテキスト要求はＵＥのコンテキストを要求するのに用いられる、段階と、ソース専用コアネットワークのノードによって返信されたＵＥのコンテキストを受信して、ＵＥのＩＤをＵＥのコンテキストから取得する段階とを含む。
【００１９】
第１の態様又は第１の態様の第１の実装例に関連して、第１の態様の第５の実装例では、ＵＥのアクセス要求に基づいてＵＥの使用種別を判定する段階は、アクセス要求内にあるＵＥの一時ＩＤを取得する段階であって、ＵＥの一時ＩＤはＵＥが配置されているソース専用コアネットワークのノードによってＵＥに割り当てられる、段階と、ソース専用コアネットワークのノードにコンテキスト要求を送信する段階であって、コンテキスト要求はＵＥの一時ＩＤを含み、コンテキスト要求はＵＥのコンテキストを要求するのに用いられる、段階と、ソース専用コアネットワークのノードによって返信されたＵＥのコンテキストを受信して、ＵＥの使用種別をＵＥのコンテキストから取得する段階とを含む。
【００２０】
この実装例では、アクセス要求がＵＥの使用種別を直接搬送しない場合、ＵＥの使用種別を取得するために、ＵＥの一時ＩＤに基づき、ソース専用コアネットワークのノードがＵＥのコンテキストについて検索されてよい。
【００２１】
第１の態様又は第１の態様の第１から第５の実装例のいずれか１つに関連して、第１の態様の第６の実装例では、ＵＥの使用種別に基づいてＵＥ用に、専用コアネットワーク内にあり且つＵＥにサービスを提供できるノードを選択した後に、本方法はさらに、リダイレクトメッセージをＲＡＮ  Ｎｏｄｅに送信する段階を含み、リダイレクトメッセージは、対応する専用コアネットワーク内にあり且つＳＦＥによってＵＥ用に選択されるノードに関する情報を含み、これにより、ＲＡＮ  ＮｏｄｅはＵＥに対応する専用コアネットワークのノードにアクセス要求を送信する。
【００２２】
第１の態様又は第１の態様の第１から第５の実装例のいずれか１つに関連して、第１の態様の第７の実装例では、ＵＥの使用種別に基づいてＵＥ用に、専用コアネットワーク内にあり且つＵＥにサービスを提供できるノードを選択した後に、本方法はさらに、ＵＥに対応する専用コアネットワークのノードにアクセス要求を直接送信する段階を含む。
【００２３】
本発明のこの実施形態では、アクセス要求は、ノードに直接送信されてよく、又はリダイレクトメッセージをＲＡＮ  Ｎｏｄｅに送信することでノードに送信されてもよい。
【００２４】
第１の態様の第７の実装例に関連して、第１の態様の第８の実装例では、ＵＥに対応する専用コアネットワークのノードにアクセス要求を直接送信する段階は、ＵＥに対応する専用コアネットワークのノードへのＳ１接続を確立する段階と、Ｓ１接続を用いることで、ＵＥに対応する専用コアネットワークのノードにアクセス要求を送信する段階とを含む。
【００２５】
第１の態様の第７の実装例又は第８の実装例に関連して、第１の態様の第９の実装例では、ＵＥに対応する専用コアネットワークのノードにアクセス要求を直接送信する段階の後に、本方法はさらに、ＲＡＮ  ＮｏｄｅとＵＥに対応する専用コアネットワークのノードとの間の転送ノードとしてのＳＦＥが、ＲＡＮ  ＮｏｄｅとＵＥに対応する専用コアネットワークのノードとの間でメッセージを転送する段階を含む。
【００２６】
第１の態様の第９の実装例に関連して、第１の態様の第１０の実装例では、ＲＡＮ  ＮｏｄｅとＵＥに対応する専用コアネットワークのノードとの間でメッセージを転送する段階は、ＵＥに対応する専用コアネットワークのノードによって送信されたメッセージを受信する段階と、メッセージをＲＡＮ  Ｎｏｄｅに転送する段階とを含むか、又はＲＡＮ  Ｎｏｄｅによって送信されたメッセージを受信する段階と、ＵＥに対応する専用コアネットワークのノードにメッセージを転送する段階とを含む。
【００２７】
第２の態様によれば、アクセス方法が提供される。本方法は、ユーザ機器ＵＥによって送信されたアクセス要求を無線アクセスネットワークノードＲＡＮ  Ｎｏｄｅが受信する段階と、ＵＥのソース専用コアネットワークのノードの識別子がアクセス要求から取得できない場合、又はアクセス要求で搬送されるソース専用コアネットワークのノードの識別子が、事前設定されたノード識別子テーブルにない場合、ソース専用コアネットワークのノードが到達不能であるとＲＡＮ  Ｎｏｄｅが判定する段階と、アクセス要求を選択機能エンティティＳＦＥにＲＡＮ  Ｎｏｄｅが送信する段階とを含む。
【００２８】
ＲＡＮ  Ｎｏｄｅは、ＵＥによって送信されたアクセス要求を受信した場合、アクセス要求及び事前設定されたノード識別子テーブルに基づいて、ソース専用コアネットワークのノードが到達可能かどうかを判定し、ソース専用コアネットワークのノードが到達不能であると判定した場合は、アクセス要求を選択機能エンティティＳＦＥに送信する。これにより、ＳＦＥはＵＥのアクセス要求に基づいてＵＥの使用種別を判定し、ＵＥの使用種別に基づいて、対応する専用コアネットワークのノードをＵＥ用に選択することができる。
【００２９】
任意選択的に、ノード識別子は、世界的に一意なモビリティ管理エンティティ識別子ＧＵＭＭＥＩ、又はパケット一時的移動体加入者識別情報Ｐ−ＴＭＳＩである。
【００３０】
第２の態様に関連して、第２の態様の第１の実装例では、本方法はさらに、ＵＥに対応する専用コアネットワーク内にあり且つ選択機能エンティティＳＦＥによって判定されるノードをＲＡＮ  Ｎｏｄｅが受け入れる段階であって、ＵＥに対応する専用コアネットワークのノードは、ＵＥの使用種別に基づいてＵＥ用にＳＦＥによって選択され且つ専用コアネットワーク内にあり且つＵＥにサービスを提供できるノードである、段階と、ＵＥに対応する専用コアネットワークのノードにＵＥのアクセス要求を送信する段階とを含む。
【００３１】
ＲＡＮ  Ｎｏｄｅは、ＵＥによって送信されたアクセス要求を受信した場合、ＵＥに対応する専用コアネットワーク内にあり且つ選択機能エンティティＳＦＥによって判定されるノードを受け入れ、ＵＥに対応する専用コアネットワークのノードにＵＥのアクセス要求を送信して、その後のアクセス手順を完了する。したがって、ＵＥによってアクセスされるノードが、ＵＥに対応する専用コアネットワークのノードであり、これにより、当該ノードはＵＥのセキュリティ検証を確実に完了できるようになる。さらに本方法では、アタッチ手順又はＴＡＵ手順が１回しか行われないので、シグナリングのやり取りを減らすことができ、ノードの処理遅延及び処理負荷が減少する。本方法では、ノードの機能を再設計する必要はなく、これにより、コストが減少する。さらに、専用コアネットワーク間のやり取りが回避され、これにより、専用コアネットワーク間の相互分離が確保される。
【００３２】
任意選択的に、専用コアネットワークのノードは制御プレーン機器であり、制御プレーン機器はＭＭＥであってよい。
【００３３】
第２の態様の第１の実装例に関連して、第２の態様の第２の実装例では、ＵＥに対応する専用コアネットワーク内にあり且つ選択機能エンティティＳＦＥによって判定されるノードを受け入れる段階は、ＵＥのソース専用コアネットワークのノードの識別子が取得できない場合、又はＵＥのソース専用コアネットワークのノードが到達不能である場合、ＵＥに対応する専用コアネットワーク内にあり且つ選択機能エンティティＳＦＥによって判定されるノードを受け入れる段階を含む。
【００３４】
第２の態様の第２の実装例に関連して、第２の態様の第３の実装例では、ＵＥに対応する専用コアネットワーク内にあり且つ選択機能エンティティＳＦＥによって判定されるノードを受け入れる段階は、ＳＦＥによって返信されたリダイレクトメッセージを受信する段階を含み、リダイレクトメッセージはＵＥに対応する専用コアネットワークのノードに関する情報を含む。
【００３５】
第２の態様の第１の実装例に関連して、第２の態様の第４の実装例では、アクセス要求をＳＦＥに送信する段階は、アクセス要求をＳＦＥに送信し、ＳＦＥを用いて、ＵＥに対応する専用コアネットワークのノードにアクセス要求を直接送信する段階を含む。
【００３６】
第２の態様の第４の実装例に関連して、第２の態様の第５の実装例では、アクセス要求をＳＦＥに送信する段階は、ＳＦＥへのＳ１−アプリケーションプロトコルＡＰ接続を確立する段階と、Ｓ１−ＡＰ接続を用いてアクセス要求をＳＦＥに送信する段階とを含む。
【００３７】
第２の態様又は第２の態様の第１から第５の実装例のいずれか１つに関連して、第２の態様の第６の実装例では、ＵＥのソース専用コアネットワークのノードの識別子は、世界的に一意なモビリティ管理エンティティ識別子ＧＵＭＭＥＩ、又はパケット一時的移動体加入者識別情報Ｐ−ＴＭＳＩである。
【００３８】
第２の態様又は第２の態様の第１から第６の実装例のいずれか１つに関連して、第２の態様の第７の実装例では、アクセス要求は非アクセス層ＮＡＳ要求メッセージを含む。ＮＡＳ要求メッセージは、アタッチ要求メッセージ又は追跡領域更新ＴＡＵ要求メッセージである。
【００３９】
第２の態様又は第２の態様の第１から第７の実装例のいずれか１つに関連して、第２の態様の第８の実装例では、アクセス要求をＳＦＥに送信する段階の後に、本方法はさらに、ＲＡＮ  ＮｏｄｅとＵＥに対応する専用コアネットワークのノードとの間の転送ノードとしてＳＦＥを用いて、ＵＥに対応する専用コアネットワークのノードにメッセージを送信するか、又はＵＥに対応する専用コアネットワークのノードによって送信されたメッセージを受信する段階を含む。
【００４０】
第２の態様又は第２の態様の第１から第８の実装例のいずれか１つに関連して、第２の態様の第９の実装例では、ＵＥによって送信されたアクセス要求をＲＡＮ  Ｎｏｄｅが受信する段階は、無線リソース制御ＲＲＣメッセージを用いて、ＵＥによって送信されたアクセス要求を受信する段階を含む。
【００４１】
第２の態様の第９の実装例に関連して、第２の態様の第１０の実装例では、本方法はさらに、ＵＥのソース専用コアネットワークのノードの識別子をＲＲＣメッセージが搬送しているかどうかを判定する段階と、ＵＥのソース専用コアネットワークのノードの識別子をアクセス要求が搬送している場合、ＵＥのソース専用コアネットワークのノードが到達可能かどうかを判定する段階とを含む。
【００４２】
第３の態様によれば、アクセス装置が提供され、本装置は受信ユニット及び処理ユニットなどのいくつかのユニットを含む。いくつかのユニットは、第１の態様で提供された方法を実現するように構成される。
【００４３】
第４の態様によれば、アクセス装置が提供され、本装置は受信ユニット、処理ユニット、及び送信ユニットなどのいくつかのユニットを含む。いくつかのユニットは、第２の態様で提供された方法を実現するように構成される。
【００４４】
第５の態様によれば、アクセスデバイスが提供される。アクセスデバイスは、プロセッサ、メモリ、及び通信インタフェースを含む。メモリは、ソフトウェアプログラム及びモジュールを格納するように構成される。プロセッサは、メモリに格納されたソフトウェアプログラム及び／又はモジュールを起動又は実行し、以下のオペレーションを実現する。すなわち、無線アクセスネットワークノードＲＡＮ  Ｎｏｄｅによって送信されたユーザ機器ＵＥのアクセス要求を受信するオペレーションと、ＵＥのアクセス要求に基づいてＵＥの使用種別を判定するオペレーションと、ＵＥの使用種別に基づいてＵＥ用に、専用コアネットワーク内にあり且つＵＥにサービスを提供できるノードを選択するオペレーションとである。専用コアネットワーク内にあり且つＵＥにサービスを提供できるノードは、ＵＥの使用種別に対応する。
【００４５】
第６の態様によれば、アクセスデバイスが提供される。アクセスデバイスはプロセッサ、メモリ、及び通信インタフェースを含む。メモリは、ソフトウェアプログラム及びモジュールを格納するように構成される。プロセッサは、メモリに格納されたソフトウェアプログラム及び／又はモジュールを起動又は実行し、以下のオペレーションを実現する。すなわち、ユーザ機器ＵＥによって送信されたアクセス要求を受信するオペレーションと、ＵＥのソース専用コアネットワークのノードの識別子がアクセス要求から取得できない場合、又はアクセス要求で搬送されるソース専用コアネットワークのノードの識別子が、事前設定されたノード識別子テーブルにない場合、ソース専用コアネットワークのノードが到達不能であると判定するオペレーションと、アクセス要求を選択機能エンティティＳＦＥに送信するオペレーションとである。
【００４６】
第７の態様によれば、コンピュータ可読記憶媒体が提供される。コンピュータ可読記憶媒体は、前述のプロセッサによってサービス送信中に実行されるプログラムコードを格納するように構成される。プログラムコードは、第１の態様で提供された方法を実現するのに用いられる命令を含む。
【００４７】
第８の態様によれば、コンピュータ可読記憶媒体が提供される。コンピュータ可読記憶媒体は、前述のプロセッサによってサービス送信中に実行されるプログラムコードを格納するように構成される。プログラムコードは、第２の態様で提供された方法を実現するのに用いられる命令を含む。
【００４８】
第９の態様によれば、アクセスシステムが提供される。本システムは以下のものを含む。すなわち、無線アクセスネットワークノードＲＡＮ  Ｎｏｄｅによって送信されたユーザ機器ＵＥのアクセス要求を受信し、ＵＥのアクセス要求に基づいてＵＥの使用種別を判定し、ＵＥの使用種別に基づいてＵＥ用に、専用コアネットワーク内にあり且つＵＥにサービスを提供できるノードを選択するように構成されたＳＦＥであって、専用コアネットワーク内にあり且つＵＥにサービスを提供できるノードはＵＥの使用種別に対応する、ＳＦＥと、ユーザ機器ＵＥによって送信されたアクセス要求を受信し、ＵＥのソース専用コアネットワークのノードの識別子がアクセス要求から取得できない場合、又はアクセス要求で搬送されるソース専用コアネットワークのノードの識別子が、事前設定されたノード識別子テーブルにない場合、ソース専用コアネットワークのノードが到達不能であると判定し、アクセス要求を選択機能エンティティＳＦＥに送信するように構成されたＲＡＮ  Ｎｏｄｅとである。
【図面の簡単な説明】
【００４９】
本発明の実施形態における技術的解決手段をより明確に説明するために、以下では、それらの実施形態を説明するのに必要な添付図面を簡潔に説明する。以下に説明される添付図面は、本発明のいくつかの実施形態のみを示すものであり、当業者であれば、これらの添付図面から創造的努力をすることなく他の図面をさらに導き出せることは明らかである。
【００５０】
【図１】本発明の一実施形態による利用シナリオの概略図である。
【００５１】
【図２ａ】本発明の一実施形態によるＳＦＥの概略構造図である。
【００５２】
【図２ｂ】本発明の一実施形態によるＲＡＮ  Ｎｏｄｅの概略構造図である。
【００５３】
【図３】本発明の一実施形態によるアクセス方法のフローチャートである。
【００５４】
【図４】本発明の一実施形態による別のアクセス方法のフローチャートである。
【００５５】
【図５】本発明の一実施形態による別のアクセス方法のフローチャートである。
【００５６】
【図６】本発明の一実施形態による別のアクセス方法のフローチャートである。
【００５７】
【図７】本発明の一実施形態による別のアクセス方法のフローチャートである。
【００５８】
【図８】本発明の一実施形態による別のアクセス方法のフローチャートである。
【００５９】
【図９】本発明の一実施形態によるアクセス装置の概略構造図である。
【００６０】
【図１０】本発明の一実施形態による別のアクセス装置の概略構造図である。
【００６１】
【図１１】本発明の一実施形態によるアクセスシステムの概略構造図である。
【発明を実施するための形態】
【００６２】
本発明の目的、技術的解決手段、及び利点をより明確にするために、以下ではさらに、添付図面を参照して本発明の実装例を詳細に説明する。
【００６３】
本発明の実施形態において提供される技術的解決手段を容易に理解するために、まず本発明の利用シナリオが図１を参照して説明される。
【００６４】
このシナリオは、ＵＥ１１、無線アクセスネットワークノード（ＲＡＮ  Ｎｏｄｅ）１２、及びコアネットワーク（Ｃｏｒｅ  Ｎｅｔｗｏｒｋ、略してＣＮ）１３を含む。
【００６５】
ＣＮ１３は、複数のネットワーク１３１を含む。各ネットワーク１３１は、１つの種類の端末にサービスを提供するように構成される。各ネットワーク１３１には、制御プレーン管理を行うのに用いられる１つのノード、例えば、制御プレーン機器（Ｃｏｎｔｒｏｌ  Ｐｌａｎｅ）１３２が設けられる。１つの制御プレーンネットワーク要素を仮想化することで、複数の制御プレーン機器１３２が得られてよい。また、ＣＮ１３はさらにＨＳＳ１３３を含む。ネットワーク１３１は専用コアネットワークであってよく、将来のネットワークのネットワークスライスであってもよい。
【００６６】
本発明のＵＥ１１は、第４世代の端末であってよく、ハンドヘルド型デバイス、車載型デバイス、ウェアラブルデバイス、又は無線通信機能があるコンピュータ処理デバイス、又は無線モデムに接続された別の処理デバイス、及び様々な形態のＵＥ、例えば、移動局（Ｍｏｂｉｌｅ  ｓｔａｔｉｏｎ、略してＭＳ）、端末（ｔｅｒｍｉｎａｌ）、端末機器（Ｔｅｒｍｉｎａｌ  Ｅｑｕｉｐｍｅｎｔ）などを含む。あるいは、ＵＥ１１は第５世代ネットワークをサポートする端末であってよく、限定されるものではないが、機械装置、センサ、移動端末などを含む。
【００６７】
ＲＡＮ  Ｎｏｄｅ１２は、一般的に無線アクセスネットワークのノードであり、ＵＥ１１とコアネットワークとの間の通信を担っている。制御プレーン機器１３２は、一般的に、コアネットワークに配置されたネットワーク１３１の制御プレーンであり、端末のセッション管理、識別認証、アクセス制御などを担っている。
【００６８】
各ネットワーク１３１はＤＥＣＯＲであり、ＲＡＮ  Ｎｏｄｅ１２はｅＮＢであり、制御プレーン機器１３２はＤＥＣＯＲに配置されたＭＭＥである。
【００６９】
本発明では、先行技術の問題を解決するために、本発明の実施形態が選択機能エンティティ（Ｓｅｌｅｃｔｉｏｎ  Ｆｕｎｃｔｉｏｎ  Ｅｎｔｉｔｙ、略してＳＦＥ）を提供する。ＳＦＥは本発明に導入された新たな論理ネットワーク要素であり、ＳＦＥの主な機能は、ある端末の対応するネットワークを端末の使用種別に基づいて選択し、端末のネットワークアクセスを実現することである。論理ネットワーク要素は、専用コアネットワークから独立した独自のネットワーク要素としてコアネットワーク側に配置されてよく、又は機能モジュールとしてネットワークの制御プレーンに組み込まれてもよい。このことは、本発明の実施形態において限定されるものではない。
【００７０】
図２ａは、ＳＦＥのハードウェアの実現可能な概略構造図である。図２ａに示すように、ＳＦＥはプロセッサ１０、メモリ２０、及び通信インタフェース３０を含む。当業者であれば、図２ａに示す構造はＳＦＥに限定を課すものではなく、ＳＦＥは図に示される構成要素より多い又はより少ない構成要素を含んでも、いくつかの構成要素を組み合わせてもよく、あるいは異なる構成要素配置を有してもよいことを理解できる。
【００７１】
プロセッサ１０は、ＳＦＥの制御センタであり、様々なインタフェース及び配線を用いてＳＦＥ全体の各構成要素に接続され、メモリ２０に格納されたソフトウェアプログラム及び／又はモジュールを起動又は実行し且つメモリ２０に格納されたデータを呼び出すことで、ＳＦＥの様々な機能及びデータ処理を行い、ＳＦＥの全体的な制御を行う。プロセッサ１０はＣＰＵによって実現されてよく、又は制御プレーン機能を有するネットワークプロセッサ（英語表記：ｎｅｔｗｏｒｋ  ｐｒｏｃｅｓｓｏｒ、略してＮＰ）によって実現されてもよい。
【００７２】
メモリ２０は、ソフトウェアプログラム及びモジュールを格納するように構成されてよい。プロセッサ１０は、メモリ２０に格納されたソフトウェアプログラム及びモジュールを起動し、様々な機能アプリケーション及びデータ処理を行う。メモリ２０は主に、プログラム記憶領域及びデータ記憶領域を含んでよい。プログラム記憶領域は、オペレーティングシステム２１と、受信モジュール２２と、処理モジュール２３と、少なくとも１つの機能（例えば、位置領域識別子リスト配分）に必要なアプリケーションプログラム２４などを格納してよい。データ記憶領域は、ＳＦＥの使用に基づいて作成されたデータ（例えば、ＵＥの位置情報）などを格納してよい。メモリ２０は、任意の種類の揮発性又は不揮発性記憶装置によって、又はそれらの組み合わせによって実現されてよく、そのような記憶装置は、例えば、スタティックランダムアクセスメモリ（英語表記：Ｓｔａｔｉｃ  Ｒａｎｄｏｍ  Ａｃｃｅｓｓ  Ｍｅｍｏｒｙ、略してＳＲＡＭ）、電気的消去可能プログラム可能リードオンリメモリ（英語表記：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、消去可能プログラム可能リードオンリメモリ（英語表記：Ｅｒａｓａｂｌｅ  Ｐｒｏｇｒａｍｍａｂｌｅ  Ｒｅａｄ  Ｏｎｌｙ  Ｍｅｍｏｒｙ、略してＥＰＲＯＭ）、プログラム可能リードオンリメモリ（英語表記：Ｐｒｏｇｒａｍｍａｂｌｅ  Ｒｅａｄ−Ｏｎｌｙ  Ｍｅｍｏｒｙ、略してＰＲＯＭ）、リードオンリメモリ（英語表記：Ｒｅａｄ  Ｏｎｌｙ  Ｍｅｍｏｒｙ、略してＲＯＭ）、磁気メモリ、フラッシュメモリ、磁気ディスク、又は光ディスクである。これに対応して、メモリ２０はさらにメモリ制御装置を含んでよく、これにより、プロセッサ１０はメモリ２０にアクセスできる。
【００７３】
プロセッサ２０は、受信モジュール２２を起動することで以下の機能を実行する。すなわち、無線アクセスネットワークノードＲＡＮ  Ｎｏｄｅによって送信されたユーザ機器ＵＥのアクセス要求を受信する機能である。プロセッサ２０は、処理モジュール２３を起動することで以下の機能を実行する。すなわち、ＵＥのアクセス要求に基づいてＵＥの使用種別を判定する機能と、ＵＥの使用種別に基づいてＵＥ用に、専用コアネットワーク内にあり且つＵＥにサービスを提供できるノードを選択する機能とであり、専用コアネットワーク内にあり且つＵＥにサービスを提供できるノードはＵＥの使用種別に対応する。
【００７４】
図２ｂは、図１に示されるＲＡＮ  Ｎｏｄｅのハードウェアの実現可能な概略構造図である。図２ｂに示すように、ＲＡＮ  Ｎｏｄｅ１２はプロセッサ１０、メモリ２０、受信機３０、及び送信機４０を含む。当業者であれば、図２ｂに示す構造はＲＡＮ  Ｎｏｄｅに限定を課すものではなく、ＲＡＮ  Ｎｏｄｅは図に示される構成要素より多い又はより少ない構成要素を含んでも、いくつかの構成要素を組み合わせてもよく、あるいは異なる構成要素配置を有してもよいことを理解できる。
【００７５】
プロセッサ１０は、ＲＡＮ  Ｎｏｄｅの制御センタであり、様々なインタフェース及び配線を用いてＲＡＮ  Ｎｏｄｅ全体の各構成要素に接続され、メモリ２０に格納されたソフトウェアプログラム及び／又はモジュールを起動又は実行し且つメモリ２０に格納されたデータを呼び出すことで、ＲＡＮ  Ｎｏｄｅの様々な機能及びデータ処理を行い、ＲＡＮ  Ｎｏｄｅの全体的な制御を行う。プロセッサ１０はＣＰＵによって実現されてよく、又は制御プレーン機能を有するネットワークプロセッサ（英語表記：ｎｅｔｗｏｒｋ  ｐｒｏｃｅｓｓｏｒ、略してＮＰ）によって実現されてもよい。
【００７６】
メモリ２０は、ソフトウェアプログラム及びモジュールを格納するように構成されてよい。プロセッサ１０は、メモリ２０に格納されたソフトウェアプログラム及びモジュールを起動し、様々な機能アプリケーション及びデータ処理を行う。メモリ２０は主に、プログラム記憶領域及びデータ記憶領域を含んでよい。プログラム記憶領域は、オペレーティングシステム２１と、受信モジュール２２と、処理モジュール２３と、送信モジュール２４と、少なくとも１つの機能（例えば、位置領域識別子リスト配分）に必要なアプリケーションプログラム２５などを格納してよい。データ記憶領域は、ＲＡＮ  Ｎｏｄｅの使用に基づいて作成されたデータ（例えば、ＵＥの位置情報）などを格納してよい。メモリ２０は、任意の種類の揮発性又は不揮発性記憶装置によって、又はそれらの組み合わせによって実現されてよく、そのような記憶装置は、例えば、スタティックランダムアクセスメモリ（英語表記：Ｓｔａｔｉｃ  Ｒａｎｄｏｍ  Ａｃｃｅｓｓ  Ｍｅｍｏｒｙ、略してＳＲＡＭ）、電気的消去可能プログラム可能リードオンリメモリ（英語表記：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、消去可能プログラム可能リードオンリメモリ（英語表記：Ｅｒａｓａｂｌｅ  Ｐｒｏｇｒａｍｍａｂｌｅ  Ｒｅａｄ  Ｏｎｌｙ  Ｍｅｍｏｒｙ、略してＥＰＲＯＭ）、プログラム可能リードオンリメモリ（英語表記：Ｐｒｏｇｒａｍｍａｂｌｅ  Ｒｅａｄ−Ｏｎｌｙ  Ｍｅｍｏｒｙ、略してＰＲＯＭ）、リードオンリメモリ（英語表記：Ｒｅａｄ  Ｏｎｌｙ  Ｍｅｍｏｒｙ、略してＲＯＭ）、磁気メモリ、フラッシュメモリ、磁気ディスク、又は光ディスクである。これに対応して、メモリ２０はさらにメモリ制御装置を含んでよく、これにより、プロセッサ１０はメモリ２０にアクセスできる。
【００７７】
プロセッサ２０は、受信モジュール２２を起動することで以下の機能を実行する。すなわち、ユーザ機器ＵＥによって送信されたアクセス要求を受信する機能である。プロセッサ２０は、処理モジュール２３を起動することで以下の機能を実行する。すなわち、ＵＥのソース専用コアネットワークのノードの識別子がアクセス要求から取得できない場合、又はアクセス要求で搬送されるソース専用コアネットワークのノードの識別子が、事前設定されたノード識別子テーブルにない場合、ソース専用コアネットワークのノードが到達不能であると判定する機能である。プロセッサ２０は、送信モジュール２４を起動することで以下の機能を実行する。すなわち、アクセス要求を選択機能エンティティＳＦＥに送信する機能である。
【００７８】
図３は、本発明の一実施形態によるアクセス方法のフローチャートである。本方法は、前述の利用シナリオのＳＦＥによって実行されてよい。図３に示すように、本方法は以下の段階を含む。
【００７９】
段階２０１：ＳＦＥは、無線アクセスネットワークノードＲＡＮ  Ｎｏｄｅによって送信されたユーザ機器ＵＥのアクセス要求を受信する。
【００８０】
段階２０２：ＵＥのアクセス要求に基づいてＵＥの使用種別を判定する。
【００８１】
段階２０３：ＵＥの使用種別に基づいてＵＥ用に、専用コアネットワーク内にあり且つＵＥにサービスを提供できるノードを選択する。専用コアネットワーク内にあり且つＵＥにサービスを提供できるノードはＵＥの使用種別に対応する。
【００８２】
ＵＥの使用種別に基づいてＵＥ用に、専用コアネットワーク内にあり且つＵＥにサービスを提供できるノードをＳＦＥが選択する段階は、ＵＥの使用種別に基づいてＵＥ用に、専用コアネットワーク内にあり且つＵＥにサービスを提供できるノードを直接選択する段階、又はＵＥの加入者データ内にあるＵＥの使用種別以外の情報及び／若しくはＳＦＥに事前設定されたローカルポリシー、並びにＵＥの使用種別に基づいてＵＥ用に、専用コアネットワーク内にあり且つＵＥにサービスを提供できるノードを選択する段階を含んでよいことを理解されたい。
【００８３】
加入者データ内にあるＵＥの使用種別以外の情報は、限定されるものではないが、ローミングプロトコルを含む。ＳＦＥに事前設定されたローカルポリシーは、限定されるものではないが、ネットワーク輻輳状態、ローカルネットワーク配置などを含む。
【００８４】
具体的には、本発明のこの実施形態において、段階２０２及び２０３は２つの実装例を含む。第１の実装例については、図５及び図６を参照されたい。第２の実装例については、図７及び図８を参照されたい。
【００８５】
本発明のこの実施形態において、ＳＦＥは、ＵＥのアクセス要求を受信した場合、ＵＥのアクセス要求に基づいてＵＥの使用種別を判定し、ＵＥの使用種別に基づいて、対応する専用コアネットワークのノードをＵＥ用に選択する。これにより、アクセス要求を当該ノードに送信し、その後のアクセス手順を完了する。したがって、ＵＥによってアクセスされるノードが、ＵＥに対応する専用コアネットワークのノードであり、これにより、当該ノードはＵＥのセキュリティ検証を確実に完了できるようになる。さらに本方法では、アタッチ手順又はＴＡＵ手順が１回しか行われないので、シグナリングのやり取りを減らすことができ、ノードの処理遅延及び処理負荷が減少する。本方法では、ノードの機能を再設計する必要はない。さらに、専用コアネットワーク間のやり取りが回避され、これにより、専用コアネットワーク間の相互分離が確保される。
【００８６】
図４は、本発明の一実施形態によるアクセス方法のフローチャートである。本方法は、前述の利用シナリオのＲＡＮ  Ｎｏｄｅによって実行されてよい。図４に示すように、本方法は以下の段階を含む。
【００８７】
段階３０１：ＲＡＮ  Ｎｏｄｅは、ユーザ機器ＵＥによって送信されたアクセス要求を受信する。
【００８８】
段階３０２：ＵＥのソース専用コアネットワークのノードの識別子がアクセス要求から取得できない場合、又はアクセス要求で搬送されるソース専用コアネットワークのノードの識別子が、事前設定されたノード識別子テーブルにない場合、ソース専用コアネットワークのノードが到達不能であると判定する。
【００８９】
段階３０３：アクセス要求を選択機能エンティティＳＦＥに送信する。
【００９０】
本発明のこの実施形態において、ＲＡＮ  Ｎｏｄｅは、アクセス要求及び事前設定されたノード識別子テーブルに基づいて、ソース専用コアネットワークのノードが到達可能かどうかを判定し、ソース専用コアネットワークのノードが到達不能であると判定した場合は、アクセス要求を選択機能エンティティＳＦＥに送信する。これにより、ＳＦＥはＵＥのアクセス要求に基づいてＵＥの使用種別を判定し、ＵＥの使用種別に基づいて、対応する専用コアネットワークのノードをＵＥ用に選択することができる。ＲＡＮ  Ｎｏｄｅは、選択機能エンティティＳＦＥを通じて、ＵＥに対応する専用コアネットワークのノードを判定し、ＵＥに対応する専用コアネットワークのノードにＵＥのアクセス要求を送信して、その後のアクセス手順を完了する。したがって、ＵＥによってアクセスされるノードが、ＵＥに対応する専用コアネットワークのノードであり、これにより、当該ノードはＵＥのセキュリティ検証を確実に完了できるようになる。さらに本方法では、アタッチ手順又はＴＡＵ手順が１回しか行われないので、シグナリングのやり取りを減らすことができ、ノードの処理遅延及び処理負荷が減少する。本方法では、ノードの機能を再設計する必要はなく、これにより、コストが減少する。さらに、専用コアネットワーク間のやり取りが回避され、これにより、専用コアネットワーク間の相互分離が確保される。
【００９１】
図５は、本発明の一実施形態によるアクセス方法のフローチャートである。この実施形態では、専用コアネットワーク（略してネットワーク）にＵＥが最初にアクセスし、専用コアネットワークのノードが制御プレーン機器である一例を用いて、ＳＦＥ及びＲＡＮ  Ｎｏｄｅによって実行される図３及び図４に提供されたアクセス方法が詳細に説明される。図５に示すように、本方法は以下の段階を含む。
【００９２】
段階４０１：ＵＥは、初期アタッチ要求（Ｉｎｉｔｉａｌ  Ａｔｔａｃｈ  Ｒｅｑｕｅｓｔ）をＲＡＮ  Ｎｏｄｅに送信する。初期アタッチ要求は、ＵＥが初期ネットワークアクセスを行う場合に、ＵＥによって送信されるアタッチ要求である。
【００９３】
ＵＥは初期アクセスを行うので、ＵＥは対応するネットワークにアクセスしたことがなく、制御プレーン機器の識別子（例えば、世界的に一意なモビリティ管理エンティティ識別子（Ｇｌｏｂａｌｌｙ  Ｕｎｉｑｕｅ  ＭＭＥ  Ｉｄｅｎｔｉｔｙ、略してＧＵＭＭＥＩ）又はパケット一時的移動体加入者識別情報（Ｐａｃｋｅｔ  Ｔｅｍｐｅｒａｔｅ  Ｍｏｂｉｌｅ  Ｓｕｂｓｃｒｉｐｔｉｏｎ  Ｉｄｅｎｔｉｔｙ、略してＰ−ＴＭＳＩ））はＵＥに割り当てられていない。
【００９４】
具体的には、ＵＥが初期アタッチ要求をＲＡＮ  Ｎｏｄｅに送信する段階は、ＵＥがＲＲＣメッセージを用いて初期アタッチ要求をＲＡＮ  Ｎｏｄｅに送信する段階を含み、ＲＲＣメッセージは、ＵＥがＲＡＮ  ＮｏｄｅへのＲＲＣ接続を確立する過程において、ＵＥによってＲＡＮ  Ｎｏｄｅに送信されるメッセージである。
【００９５】
段階４０２：ＲＡＮ  Ｎｏｄｅは初期アタッチ要求をＳＦＥに送信し、ＳＦＥはＲＡＮ  Ｎｏｄｅによって送信されたＵＥの初期アタッチ要求を受信する。
【００９６】
ＳＦＥは本発明の新たな論理ネットワーク要素であり、ＲＡＮ  Ｎｏｄｅは、アドレス情報などのＳＦＥの関連情報を格納する。
【００９７】
ＲＡＮ  Ｎｏｄｅが初期アタッチ要求をＳＦＥに送信することは、ＲＡＮ  ＮｏｄｅがＳＦＥへのＳ１アプリケーションプロトコル（Ａｐｐｌｉｃａｔｉｏｎ  Ｐｒｏｔｏｃｏｌ、略してＡＰ）接続を確立する段階と、Ｓ１−ＡＰ接続を用いて初期アタッチ要求をＳＦＥに送信する段階とを含んでよい。
【００９８】
さらに、ＵＥが初期アクセスを行うかどうかをＲＡＮ  Ｎｏｄｅは認識していないので、ＲＡＮ  Ｎｏｄｅが初期アタッチ要求をＳＦＥに送信する前に、本方法はさらに、ＲＲＣメッセージがＵＥのソースネットワークの制御プレーン機器の識別子（世界的に一意なモビリティ管理エンティティ識別子ＧＵＭＭＥＩ、又はパケット一時的移動体加入者識別情報Ｐ−ＴＭＳＩなど）を含むかどうかをＲＡＮ  Ｎｏｄｅが判定する段階を含む。ＵＥが初期アクセスを行うので、ＲＲＣメッセージは、ＵＥのソースネットワークの制御プレーン機器の識別子を含んでいない（すなわち、ＲＡＮ  ＮｏｄｅはＵＥのソースネットワークの制御プレーン機器の識別子を取得していない）。したがって、ＲＡＮ  Ｎｏｄｅは初期アタッチ要求をＳＦＥに送信する。
【００９９】
ＳＦＥは、初期アタッチ要求を受信した後に、段階４０３ａを実行する。ＳＦＥは、段階４０３ａの実行に失敗した場合、段階Ｓ４０３ｂ〜段階４０３ｄを実行する。もちろん、ＳＦＥは段階４０３ａを実行しないで、段階４０３ｂ〜段階４０３ｄを直接実行してもよい。段階４０３ａ、及び段階４０３ｂ〜段階４０３ｄは、ＵＥの使用種別を判定するのに用いられる。
【０１００】
段階４０３ａ：ＳＦＥは、ＵＥの使用種別を初期アタッチ要求から直接取得する。
【０１０１】
本発明において、使用種別は初期アタッチ要求の任意選択的なフィールドとして用いられてよい。
【０１０２】
段階４０３ｂ：ＳＦＥはＵＥのＩＤを初期アタッチ要求から取得する。
【０１０３】
初期アタッチ要求はＵＥのＩＤを含む。
【０１０４】
段階４０３ｃ：ＳＦＥは加入者データ要求（Ｓｕｂｓｃｒｉｂｅｒ  Ｄａｔａ  Ｒｅｑｕｅｓｔ）をＨＳＳに送信する。加入者データ要求はＵＥのＩＤを含み、加入者データ要求はＵＥの加入者データ（Ｓｕｂｓｃｒｉｂｅｒ  Ｄａｔａ）を要求するのに用いられる。
【０１０５】
段階４０３ｄ：ＳＦＥは、ＨＳＳによって返信されたＵＥの加入者データを受信し、ＵＥの使用種別をＵＥの加入者データから取得する。ＵＥの加入者データはＵＥの使用種別を含む。
【０１０６】
具体的には、ＨＳＳによって返信された加入者データ応答（Ｓｕｂｓｃｒｉｂｅｒ  Ｄａｔａ  Ｒｅｓｐｏｎｓｅ）が受信され、加入者データ応答はＵＥの加入者データを含む。
【０１０７】
段階４０４：ＳＦＥは、ＵＥの使用種別に基づいて、制御プレーン機器をＵＥ用に選択する。
【０１０８】
具体的には、異なる種類のＵＥとネットワークとの間には対応関係があるので、使用種別と制御プレーン機器との間の対応関係が、事前にＳＦＥに格納されてよい。ＳＦＥは、ＵＥの使用種別を取得した後に、ＵＥの使用種別に対応する制御プレーン機器を、使用種別と制御プレーン機器との間の対応関係及びＵＥの使用種別に基づいて選択する。
【０１０９】
使用種別と制御プレーン機器との間の対応関係は以下の方法で設定されてよい。すなわち、モバイルブロードバンドのユーザはモバイルブロードバンドネットワークの制御プレーン機器に対応し、マシンタイプ通信のユーザはマシンタイプ通信ネットワークの制御プレーン機器に対応し、又は車両間通信のユーザは車両間通信ネットワークの制御プレーン機器に対応する。もちろん、前述の対応関係は一例にすぎない。このことは、本発明のこの実施形態において限定されるものではない。
【０１１０】
ＵＥの使用種別に基づいてＵＥ用に、専用コアネットワーク内にあり且つＵＥにサービスを提供できるノードをＳＦＥが選択することは、ＵＥの使用種別に基づいてＵＥ用に、専用コアネットワーク内にあり且つＵＥにサービスを提供できるノードを直接選択する段階、又はＵＥの加入者データ内にあるＵＥの使用種別以外の情報及び／若しくはＳＦＥに事前設定されたローカルポリシー、並びにＵＥの使用種別に基づいてＵＥ用に、専用コアネットワーク内にあり且つＵＥにサービスを提供できるノードを選択する段階を含んでよいことを理解されたい。
【０１１１】
加入者データ内にあるＵＥの使用種別以外の情報は、限定されるものではないが、ローミングプロトコルを含む。ＳＦＥに事前設定されたローカルポリシーは、限定されるものではないが、ネットワーク輻輳状態、ローカルネットワーク配置などを含む。
【０１１２】
ある実装例において、ＵＥの加入者データ内にあるＵＥの使用種別以外の情報、及び／又はＳＦＥに事前設定されたローカルポリシー、並びにＵＥの使用種別に基づいてＵＥ用に、専用コアネットワーク内にあり且つＵＥにサービスを提供できるノードを選択する段階は、ＵＥの使用種別に基づいて、ＳＦＥがＵＥ用に制御プレーン機器を選択する段階と、選択された制御プレーン機器が、ＵＥの加入者データ内にあるＵＥの使用種別以外の情報、及び／又はＳＦＥに事前設定されたローカルポリシーの要件を満たしている場合、この制御プレーン機器がＵＥにサービスを提供できる制御プレーン機器であると判定し、そうでなければ、別の制御プレーン機器をＵＥにサービスを提供できる制御プレーン機器として選択する段階とを含んでよい。
【０１１３】
ＵＥの加入者データ内にあるＵＥの使用種別以外の情報、及び／又はＳＦＥに事前設定されたローカルポリシーの要件を満たすということは、ＵＥの加入者データ内にあるＵＥの使用種別以外の情報（ローミングプロトコルなど）に一致すること、又はローカルポリシー内にあるポリシー（ネットワーク輻輳状態など）を満たすことを含んでよい。
【０１１４】
例えば、ＳＦＥは、ＵＥの使用種別に基づいて制御プレーン機器をＵＥ用に選択する場合、加入者データ内にあるＵＥのローミングプロトコルを参照してよい。ローミングサービスがＵＥに対して有効ではなく、ＵＥの使用種別に基づいてＵＥ用に選択された制御プレーン機器がローミングロケーションにある場合、当該制御プレーン機器は、ＵＥにサービスを提供できる制御プレーン機器として用いることができない。
【０１１５】
別の例では、ＳＦＥは、ＵＥの使用種別に基づいて制御プレーン機器をＵＥ用に選択する場合、ＳＦＥのローカルの輻輳状態を参照してよい。ＵＥの使用種別に基づいてＵＥ用に選択された制御プレーン機器が配置されているネットワークの輻輳が、事前設定された値より大きい場合、当該制御プレーン機器は、ＵＥにサービスを提供できる制御プレーン機器として用いることができない。
【０１１６】
段階４０３ａ、段階４０３ｂ〜段階４０３ｄ、及び段階４０４を用いて、制御プレーン機器がＵＥ用に選択される。
【０１１７】
段階４０５：ＳＦＥは、リダイレクトメッセージ（Ｒｅｄｉｒｅｃｔｉｏｎ  Ｍｅｓｓａｇｅ）をＲＡＮ  Ｎｏｄｅに送信する。リダイレクトメッセージは、ＵＥの使用種別に対応する制御プレーン機器に関する情報を含み、ＲＡＮ  Ｎｏｄｅは、ＳＦＥによって返信されるリダイレクトメッセージを受信する。
【０１１８】
制御プレーン機器に関する情報は、制御プレーン機器の識別子又はＩＰアドレスを含んでよい。
【０１１９】
段階４０６：ＲＡＮ  Ｎｏｄｅは、ＵＥの初期アタッチ要求を制御プレーン機器に送信する。
【０１２０】
ＲＡＮ  ＮｏｄｅがＵＥの初期アタッチ要求を制御プレーン機器に送信することは、制御プレーン機器へのＳ１接続をＲＡＮ  Ｎｏｄｅが確立する段階と、Ｓ１接続を用いてＵＥの初期アタッチ要求を制御プレーン機器に送信する段階とを含んでよい。
【０１２１】
段階４０６の後に、ＵＥ、ＲＡＮ  Ｎｏｄｅ、及び制御プレーン機器は、通常の方法でアタッチ手順を完了する。このように、ＵＥのネットワークアクセスを実現することができる。
【０１２２】
本発明のこの実施形態において、ＲＡＮ  Ｎｏｄｅは、ＵＥによって送信された初期アタッチ要求を受信した後に、初期アタッチ要求をＳＦＥに直接送信し、次に、ＳＦＥによって返信されたリダイレクトメッセージを受信する。リダイレクトメッセージは、ＵＥの使用種別Ｕｓａｇｅ  Ｔｙｐｅに基づいてＵＥ用にＳＦＥによって選択された制御プレーン機器（ＭＭＥなど）に関する情報を含む。次に、ＲＡＮ  Ｎｏｄｅは、ＵＥの初期アタッチ要求を制御プレーン機器に送信して、その後のアクセス手順を完了する。本方法において、ＳＦＥは、ＵＥの使用種別Ｕｓａｇｅ  Ｔｙｐｅに基づいて制御プレーン機器をＵＥ用に選択し、次に、ＵＥは制御プレーン機器が配置されているネットワークにアクセスする。すなわち、ＵＥによってアクセスされる制御プレーン機器が、ＵＥに対応するネットワークの制御プレーン機器である。これにより、当該制御プレーン機器はＵＥのセキュリティ検証を確実に完了できるようになる。さらに本方法では、アタッチ手順又はＴＡＵ手順が１回しか行われないので、シグナリングのやり取りを減らすことができ、制御プレーン機器の処理遅延及び処理負荷が減少する。本方法では、制御プレーン機器の機能を再設計する必要はない。さらに、ネットワーク間のやり取りが回避され、これにより、ネットワーク間の相互分離が確保される。
【０１２３】
図６は、本発明の一実施形態によるアクセス方法のフローチャートである。この実施形態では、ＵＥがホームロケーションから訪問先ロケーションに移動する一例を用いて、ＳＦＥ及びＲＡＮ  Ｎｏｄｅによって実行される図３及び図４に提供されたアクセス方法が詳細に説明される。図６に示すように、本方法は以下の段階を含む。
【０１２４】
段階５０１：ＵＥは、アタッチ要求又はＴＡＵ要求をＲＡＮ  Ｎｏｄｅに送信する。
【０１２５】
具体的には、ＵＥがアタッチ要求又はＴＡＵ要求をＲＡＮ  Ｎｏｄｅに送信することは、ＵＥがＲＲＣメッセージを用いてアタッチ要求又はＴＡＵ要求をＲＡＮ  Ｎｏｄｅに送信する段階を含み、ＲＲＣメッセージは、ＵＥがＲＡＮ  ＮｏｄｅへのＲＲＣ接続を確立する過程において、ＵＥによってＲＡＮ  Ｎｏｄｅに送信されるメッセージである。
【０１２６】
ＵＥは、ホームロケーションで登録を行い、ホームネットワークによって割り当てられる一時識別子を取得している。一時識別子は、制御プレーン機器の識別子を含む。この場合、ＵＥは、訪問先ロケーションでのアタッチ又はＴＡＵを要求するときに、制御プレーン機器の識別子をＲＲＣメッセージに追加して、ＲＲＣメッセージを（訪問先ロケーションの）ＲＡＮ  Ｎｏｄｅに送信する。
【０１２７】
段階５０２：ＲＡＮ  Ｎｏｄｅはアタッチ要求又はＴＡＵ要求をＳＦＥに送信し、ＳＦＥはＲＡＮ  Ｎｏｄｅによって送信されたＵＥのアタッチ要求又はＴＡＵ要求を受信する。
【０１２８】
ＳＦＥは本発明の新たな論理ネットワーク要素であり、ＲＡＮ  Ｎｏｄｅは、アドレス情報などのＳＦＥの関連情報を格納する。
【０１２９】
ＲＡＮ  Ｎｏｄｅがアタッチ要求又はＴＡＵ要求をＳＦＥに送信することは、ＲＡＮ  ＮｏｄｅがＳＦＥへのＳ１−ＡＰ接続を確立する段階と、Ｓ１−ＡＰ接続を用いてアタッチ要求又はＴＡＵ要求をＳＦＥに送信する段階とを含んでよい。
【０１３０】
さらに、ＲＡＮ  Ｎｏｄｅがアタッチ要求又はＴＡＵ要求をＳＦＥに送信する前に、本方法はさらに、ＲＲＣメッセージがＵＥのソースネットワークの制御プレーン機器の識別子を含むかどうかをＲＡＮ  Ｎｏｄｅが判定する段階と、ＲＲＣメッセージがＵＥのソースネットワークの制御プレーン機器の識別子を含む場合、ＵＥのソースネットワークの制御プレーン機器が到達可能かどうかを判定する段階とを含む。ＵＥのソースネットワークの制御プレーン機器は、ＵＥのホームロケーションの制御プレーン機器なので、訪問先ロケーションのＲＡＮ  Ｎｏｄｅは、当該制御プレーン機器が到達不能であると判定する。この場合、ＲＡＮ  Ｎｏｄｅはアタッチ要求又はＴＡＵ要求をＳＦＥに送信する。
【０１３１】
具体的には、ＵＥのソースネットワークの制御プレーン機器が到達可能かどうかを判定することは、アクセス可能なノードの識別子テーブルを事前設定する段階と、ノード識別子テーブルに基づいて、ソースネットワークの制御プレーン機器の識別子が、ノード識別子テーブルにないと判定する段階と、ソースネットワークの制御プレーン機器が到達不能であると判定する段階とを含む。
【０１３２】
ＳＦＥは、アタッチ要求又はＴＡＵ要求を受信した後に、段階５０３ａを実行する。ＳＦＥは、段階５０３ａの実行に失敗した場合、段階Ｓ５０３ｂ〜段階５０３ｊを実行する。もちろん、ＳＦＥは段階５０３ａを実行しないで、段階５０３ｂ〜段階５０３ｊを直接実行してもよい。段階５０３ａ、及び段階５０３ｂ〜段階５０３ｊは、ＵＥの使用種別を判定するのに用いられる。
【０１３３】
段階５０３ａ：ＳＦＥは、ＵＥの使用種別をアタッチ要求又はＴＡＵ要求から直接取得する。
【０１３４】
本発明において、使用種別はアタッチ要求又はＴＡＵ要求の任意選択的なフィールドとして用いられてよい。
【０１３５】
段階５０３ｂ：ＳＦＥは、ＵＥの一時識別子をアタッチ要求又はＴＡＵ要求から取得する。
【０１３６】
アタッチ要求又はＴＡＵ要求はＵＥの一時識別子を含み、ＵＥの一時識別子はＵＥのソースネットワークの制御プレーン機器の識別子を含む。
【０１３７】
段階５０３ｃ：ＳＦＥはコンテキスト要求（Ｃｏｎｔｅｘｔ  Ｒｅｑｕｅｓｔ）をＵＥのソースネットワークの制御プレーン機器（ホームロケーションの制御プレーン機器）に送信する。コンテキスト要求はＵＥの一時識別子を含み、コンテキスト要求はＵＥのコンテキスト（Ｃｏｎｔｅｘｔ）を要求するのに用いられる。ＳＦＥは、ＵＥの一時識別子に基づいて、ＵＥのソースネットワークの制御プレーン機器を認識できる。ＳＦＥは、ソースネットワークの制御プレーン機器によって返信されたＵＥのコンテキストを受信した場合、段階５０３ｄ及び段階５０３ｅを実行し、そうでなければ、段階５０３ｇ〜段階５０３ｊを実行する。
【０１３８】
具体的には、ＳＦＥはソースネットワークの制御プレーン機器によって返信されたコンテキスト応答（Ｃｏｎｔｅｘｔ  Ｒｅｓｐｏｎｓｅ）を受信し、コンテキスト応答はＵＥのコンテキストを含んでよい。
【０１３９】
ＵＥのコンテキストがソースネットワークの制御プレーン機器から削除されていた場合、ＳＦＥはソースネットワークの制御プレーン機器によって返信されるＵＥのコンテキストを何も受信しない。
【０１４０】
段階５０３ｄ：ＵＥのコンテキストがＵＥの使用種別を含むかどうかを判定し、ＵＥのコンテキストがＵＥの使用種別を含む場合、段階５０３ｅを実行し、そうでなければ段階５０３ｆを実行する。
【０１４１】
段階５０３ｅ：ＵＥの使用種別をＵＥのコンテキストから取得する。ＵＥのコンテキストはＵＥの使用種別を含む。
【０１４２】
段階５０３ｆ：ＵＥのＩＤをＵＥのコンテキストから取得する。ＵＥのコンテキストはＵＥのＩＤを含む。次に、段階５０３ｉ及び５０３ｊを実行する。
【０１４３】
段階５０３ｇ：ＳＦＥはＩＤ要求（Ｉｄｅｎｔｉｔｙ  Ｒｅｑｕｅｓｔ）をＵＥに送信する。
【０１４４】
段階５０３ｈ：ＳＦＥはＵＥによって返信されたＵＥのＩＤを受信する。
【０１４５】
具体的には、ＵＥによって返信されたＩＤ応答（Ｉｄｅｎｔｉｔｙ  Ｒｅｓｐｏｎｓｅ）が受信され、ＩＤ応答はＵＥのＩＤを含む。
【０１４６】
段階５０３ｉ：ＳＦＥは加入者データ要求をＨＳＳに送信する。加入者データ要求はＵＥのＩＤを含み、加入者データ要求はＵＥの加入者データを要求するのに用いられる。
【０１４７】
段階５０３ｊ：ＳＦＥは、ＨＳＳによって返信されたＵＥの加入者データを受信し、ＵＥの使用種別をＵＥの加入者データから取得する。ＵＥの加入者データはＵＥの使用種別を含む。
【０１４８】
具体的には、ＨＳＳによって返信された加入者データ応答が受信され、加入者データ応答はＵＥの加入者データを含む。
【０１４９】
段階５０４：ＳＦＥは、ＵＥの使用種別に基づいて、制御プレーン機器（ローミングロケーションの制御プレーン機器）をＵＥ用に選択する。
【０１５０】
段階５０４の具体的な処理は、段階４０４の処理と同じである。
【０１５１】
段階５０５：ＳＦＥは、リダイレクトメッセージ（Ｒｅｄｉｒｅｃｔｉｏｎ  Ｍｅｓｓａｇｅ）をＲＡＮ  Ｎｏｄｅに送信する。リダイレクトメッセージは、ＵＥの使用種別に対応する制御プレーン機器に関する情報を含み、ＲＡＮ  Ｎｏｄｅは、ＳＦＥによって返信されるリダイレクトメッセージを受信する。
【０１５２】
段階５０５の具体的な処理は、段階４０５の処理と同じである。
【０１５３】
段階５０６：ＲＡＮ  Ｎｏｄｅは、ＵＥのアタッチ要求又はＴＡＵ要求を制御プレーン機器に送信する。
【０１５４】
段階５０６の具体的な処理は、段階４０６の処理と同じである。
【０１５５】
本発明のこの実施形態では、ＲＡＮ  ＮｏｄｅがＵＥによって送信されたアクセス要求を受信する場合、ＵＥのソースネットワークの制御プレーン機器が到達不能であるならば、ＲＡＮ  Ｎｏｄｅはアクセス要求をＳＦＥに直接送信し、次に、ＳＦＥによって返信されたリダイレクトメッセージを受信する。リダイレクトメッセージは、ＵＥの使用種別Ｕｓａｇｅ  Ｔｙｐｅに基づいてＵＥ用にＳＦＥによって選択された制御プレーン機器（ＭＭＥなど）に関する情報を含む。次に、ＲＡＮ  Ｎｏｄｅは、ＵＥのアクセス要求を制御プレーン機器に送信して、その後のアクセス手順を完了する。本方法において、ＳＦＥは、ＵＥの使用種別Ｕｓａｇｅ  Ｔｙｐｅに基づいて制御プレーン機器をＵＥ用に選択し、次に、ＵＥは制御プレーン機器が配置されているネットワークにアクセスする。すなわち、ＵＥによってアクセスされる制御プレーン機器が、ＵＥに対応するネットワークの制御プレーン機器である。これにより、当該制御プレーン機器はＵＥのセキュリティ検証を確実に完了できるようになる。さらに本方法では、アタッチ手順又はＴＡＵ手順が１回しか行われないので、シグナリングのやり取りを減らすことができ、制御プレーン機器の処理遅延及び処理負荷が減少する。本方法では、制御プレーン機器の機能を再設計する必要はない。さらに、ネットワーク間のやり取りが回避され、これにより、ネットワーク間の相互分離が確保される。
【０１５６】
図７は、本発明の一実施形態によるアクセス方法のフローチャートである。この実施形態では、ＵＥが初期ネットワークアクセスを行う一例を用いて、本発明を詳細に説明する。図７に示すように、図に示す手順で、ＵＥはＳＦＥとやり取りする。ＳＦＥが制御プレーン機器をＵＥ用に選択する手順は、図５の手順と同じである（すなわち、段階６０１〜６０４は、図５の段階４０１〜４０４と同じである）。図７と図５との間の差異は、主にその後の手順（段階６０５及び６０６）にある。本方法は以下の段階を含む。
【０１５７】
段階６０１：ＵＥは、初期アタッチ要求（Ｉｎｉｔｉａｌ  Ａｔｔａｃｈ  Ｒｅｑｕｅｓｔ）をＲＡＮ  Ｎｏｄｅに送信する。初期アタッチ要求は、ＵＥが初期ネットワークアクセスを行う場合に、ＵＥによって送信されるアタッチ要求である。
【０１５８】
段階６０２：ＲＡＮ  Ｎｏｄｅは初期アタッチ要求をＳＦＥに送信し、ＳＦＥはＲＡＮ  Ｎｏｄｅによって送信されたＵＥの初期アタッチ要求を受信する。
【０１５９】
ＳＦＥは、初期アタッチ要求を受信した後に、段階６０３ａを実行する。ＳＦＥは、段階６０３ａの実行に失敗した場合、段階Ｓ６０３ｂ〜段階６０３ｄを実行する。もちろん、ＳＦＥは段階６０３ａを実行しないで、段階６０３ｂ〜段階６０３ｄを直接実行してもよい。段階６０３ａ、及び段階６０３ｂ〜段階６０３ｄは、ＵＥの使用種別を判定するのに用いられる。
【０１６０】
段階６０３ａ：ＳＦＥは、ＵＥの使用種別を初期アタッチ要求から直接取得する。
【０１６１】
段階６０３ｂ：ＳＦＥはＵＥのＩＤを初期アタッチ要求から取得する。
【０１６２】
段階６０３ｃ：ＳＦＥは加入者データ要求（Ｓｕｂｓｃｒｉｂｅｒ  Ｄａｔａ  Ｒｅｑｕｅｓｔ）をＨＳＳに送信する。加入者データ要求はＵＥのＩＤを含み、加入者データ要求はＵＥの加入者データ（Ｓｕｂｓｃｒｉｂｅｒ  Ｄａｔａ）を要求するのに用いられる。
【０１６３】
段階６０３ｄ：ＳＦＥは、ＨＳＳによって返信されたＵＥの加入者データを受信し、ＵＥの使用種別をＵＥの加入者データから取得する。ＵＥの加入者データはＵＥの使用種別を含む。
【０１６４】
段階６０４：ＳＦＥは、ＵＥの使用種別に基づいて、制御プレーン機器をＵＥ用に選択する。
【０１６５】
段階６０３ａ、段階６０３ｂ〜段階６０３ｄ、及び段階６０４を用いて、制御プレーン機器がＵＥ用に選択される。
【０１６６】
段階６０５：ＳＦＥは、ＵＥの初期アタッチ要求を制御プレーン機器に送信する。
【０１６７】
ＳＦＥは、ＵＥ用に制御プレーン機器を選択した後に、制御プレーン機器に関する情報を見つけ、ＵＥの初期アタッチ要求を制御プレーン機器に送信してよい。制御プレーン機器に関する情報は、制御プレーン機器の識別子又はＩＰアドレスを含んでよい。
【０１６８】
段階６０５は、制御プレーン機器へのＳ１接続を確立し、Ｓ１接続を用いて初期アタッチ要求を制御プレーン機器に送信する段階を含んでよい。
【０１６９】
段階６０６：制御プレーン機器とＲＡＮ  Ｎｏｄｅとの間の転送ノードとして、ＳＦＥは制御プレーン機器とＲＡＮ  Ｎｏｄｅとの間でメッセージを転送し、アクセス処理を完了する。
【０１７０】
具体的には、制御プレーン機器又はＲＡＮ  Ｎｏｄｅによって送信されるメッセージが受信され、制御プレーン機器又はＲＡＮ  Ｎｏｄｅによって送信されたメッセージは、ＲＡＮ  Ｎｏｄｅ又は制御プレーン機器に転送される。
【０１７１】
具体的には、ＳＦＥがメッセージを転送する処理は、メッセージをキャッシュして、メッセージのルーティング修正が完了した後に、メッセージをＲＡＮ  Ｎｏｄｅ又は制御プレーン機器に転送する段階を含む。
【０１７２】
メッセージは、セキュリティ検証メッセージ、受け入れメッセージなどを含む。前述のメッセージ送信処理において、制御プレーン機器は、メッセージを用いて、ＵＥに割り当てられた一時識別子（ＧＵＴＩ）をＵＥに送信する。
【０１７３】
具体的には、制御プレーン機器は、ＵＥに割り当てられた一時識別子（ＧＵＴＩ）を非アクセス層受け入れメッセージ（ＮＡＳ受け入れメッセージ）に追加し、ＳＦＥを用いて、非アクセス層受け入れメッセージをＲＡＮ  Ｎｏｄｅに送信してよい。次に、ＲＡＮ  Ｎｏｄｅは非アクセス層受け入れメッセージをＵＥに転送する。一時識別子は、制御プレーン機器の識別子を含む。ＵＥは制御プレーン機器の識別子をその後のサービス要求メッセージに追加し、ＲＡＮ  Ｎｏｄｅは、制御プレーン機器の識別子に基づいて、ＵＥのサービス要求メッセージを制御プレーン機器に直接送信してよい。
【０１７４】
段階６０６の後に、ＵＥ、ＲＡＮ  Ｎｏｄｅ、及び制御プレーン機器は、通常の方法でその後のやり取りを行う。具体的に言えば、今回のアクセスが完了した後に、ＲＡＮ  Ｎｏｄｅは、一時識別子に基づいて制御プレーン機器と直接やり取りして、ＵＥと制御プレーン機器との間でＳＦＥを用いずにメッセージを転送してよい。
【０１７５】
本発明のこの実施形態では、ＲＡＮ  Ｎｏｄｅは、ＵＥによって送信された初期アタッチ要求を受信した後に、初期アタッチ要求をＳＦＥに直接送信し、ＳＦＥは、ＵＥの使用種別Ｕｓａｇｅ  Ｔｙｐｅに基づいて制御プレーン機器（ＭＭＥなど）をＵＥ用に選択し、次に、ＵＥの初期アタッチ要求を制御プレーン機器に送信し、その後のアクセス手順を完了する。本方法において、ＳＦＥは、ＵＥの使用種別Ｕｓａｇｅ  Ｔｙｐｅに基づいて制御プレーン機器をＵＥ用に選択し、次に、ＵＥは制御プレーン機器が配置されているネットワークにアクセスする。すなわち、ＵＥによってアクセスされる制御プレーン機器が、ＵＥに対応するネットワークの制御プレーン機器である。これにより、当該制御プレーン機器はＵＥのセキュリティ検証を確実に完了できるようになる。さらに本方法では、アタッチ手順又はＴＡＵ手順が１回しか行われないので、シグナリングのやり取りを減らすことができ、制御プレーン機器の処理遅延及び処理負荷が減少する。本方法では、制御プレーン機器の機能を再設計する必要はない。さらに、ネットワーク間のやり取りが回避され、これにより、ネットワーク間の相互分離が確保される。
【０１７６】
図８は、本発明の一実施形態によるアクセス方法のフローチャートである。この実施形態では、ＵＥがホームロケーションから訪問先ロケーションに移動する一例を用いて、本発明を詳細に説明する。図８に示すように、図に示す手順で、ＵＥはＳＦＥとやり取りする。ＳＦＥが制御プレーン機器をＵＥ用に選択する手順は、図６の手順と同じである（すなわち、段階７０１〜７０４は、図６の段階５０１〜５０４と同じである）。図８と図６との間の差異は、主にその後の手順（段階７０５及び７０６）にある。本方法は以下の段階を含む。
【０１７７】
段階７０１：ＵＥは、アタッチ要求又はＴＡＵ要求をＲＡＮ  Ｎｏｄｅに送信する。
【０１７８】
段階７０２：ＲＡＮ  Ｎｏｄｅはアタッチ要求又はＴＡＵ要求をＳＦＥに送信し、ＳＦＥはＲＡＮ  Ｎｏｄｅによって送信されたＵＥのアタッチ要求又はＴＡＵ要求を受信する。
【０１７９】
ＳＦＥは、アタッチ要求又はＴＡＵ要求を受信した後に、段階７０３ａを実行する。ＳＦＥは、段階７０３ａの実行に失敗した場合、段階Ｓ７０３ｂ〜段階７０３ｊを実行する。もちろん、ＳＦＥは段階７０３ａを実行しないで、段階７０３ｂ〜段階７０３ｊを直接実行してもよい。段階７０３ａ、及び段階７０３ｂ〜段階７０３ｊは、ＵＥの使用種別を判定するのに用いられる。
【０１８０】
段階７０３ａ：ＳＦＥは、ＵＥの使用種別をアタッチ要求又はＴＡＵ要求から直接取得する。
【０１８１】
段階７０３ｂ：ＳＦＥは、ＵＥの一時識別子をアタッチ要求又はＴＡＵ要求から取得する。
【０１８２】
段階７０３ｃ：ＳＦＥはコンテキスト要求（Ｃｏｎｔｅｘｔ  Ｒｅｑｕｅｓｔ）をＵＥのソースネットワークの制御プレーン機器（ホームロケーションの制御プレーン機器）に送信する。コンテキスト要求はＵＥの一時識別子を含み、コンテキスト要求はＵＥのコンテキスト（Ｃｏｎｔｅｘｔ）を要求するのに用いられる。ＳＦＥは、ソースネットワークの制御プレーン機器によって返信されたＵＥのコンテキストを受信した場合、段階７０３ｄ及び段階７０３ｅを実行し、そうでなければ、段階７０３ｇ〜段階７０３ｊを実行する。
【０１８３】
段階７０３ｄ：ＵＥのコンテキストがＵＥの使用種別を含むかどうかを判定し、ＵＥのコンテキストがＵＥの使用種別を含む場合、段階７０３ｅを実行し、そうでなければ段階７０３ｆを実行する。
【０１８４】
段階７０３ｅ：ＵＥの使用種別をＵＥのコンテキストから取得する。ＵＥのコンテキストはＵＥの使用種別を含む。
【０１８５】
段階７０３ｆ：ＵＥのＩＤをＵＥのコンテキストから取得する。ＵＥのコンテキストはＵＥのＩＤを含む。次に、段階７０３ｉ及び７０３ｊを実行する。
【０１８６】
段階７０３ｇ：ＳＦＥはＩＤ要求（Ｉｄｅｎｔｉｔｙ  Ｒｅｑｕｅｓｔ）をＵＥに送信する。
【０１８７】
段階７０３ｈ：ＳＦＥはＵＥによって返信されたＵＥのＩＤを受信する。
【０１８８】
段階７０３ｉ：ＳＦＥは加入者データ要求をＨＳＳに送信する。加入者データ要求はＵＥのＩＤを含み、加入者データ要求はＵＥの加入者データを要求するのに用いられる。
【０１８９】
段階７０３ｊ：ＳＦＥは、ＨＳＳによって返信されたＵＥの加入者データを受信し、ＵＥの使用種別をＵＥの加入者データから取得する。ＵＥの加入者データはＵＥの使用種別を含む。
【０１９０】
段階７０４：ＳＦＥは、ＵＥの使用種別に基づいて、制御プレーン機器（ローミングロケーションの制御プレーン機器）をＵＥ用に選択する。
【０１９１】
段階７０５：ＳＦＥは、ＵＥの初期アタッチ要求を制御プレーン機器に送信する。
【０１９２】
段階７０５の具体的な処理は、段階６０５の処理と同じである。
【０１９３】
段階７０６：制御プレーン機器とＲＡＮ  Ｎｏｄｅとの間の転送ノードとして、ＳＦＥは制御プレーン機器とＲＡＮ  Ｎｏｄｅとの間でメッセージを転送し、アクセス処理を完了する。
【０１９４】
段階７０６の具体的な処理は、段階６０６の処理と同じである。
【０１９５】
本発明のこの実施形態では、ＲＡＮ  ＮｏｄｅがＵＥによって送信されたアクセス要求を受信する場合、ＵＥのソースネットワークの制御プレーン機器が到達不能であるならば、ＲＡＮ  Ｎｏｄｅはアクセス要求をＳＦＥに直接送信し、ＳＦＥは、ＵＥの使用種別Ｕｓａｇｅ  Ｔｙｐｅに基づいて制御プレーン機器（ＭＭＥなど）をＵＥ用に選択し、次に、ＵＥのアクセス要求を制御プレーン機器に送信して、その後のアクセス手順を完了する。本方法において、ＳＦＥは、ＵＥの使用種別Ｕｓａｇｅ  Ｔｙｐｅに基づいて制御プレーン機器をＵＥ用に選択し、次に、ＵＥは制御プレーン機器が配置されているネットワークにアクセスする。すなわち、ＵＥによってアクセスされる制御プレーン機器が、ＵＥに対応するネットワークの制御プレーン機器である。これにより、当該制御プレーン機器はＵＥのセキュリティ検証を確実に完了できるようになる。さらに本方法では、アタッチ手順又はＴＡＵ手順が１回しか行われないので、シグナリングのやり取りを減らすことができ、制御プレーン機器の処理遅延及び処理負荷が減少する。本方法では、制御プレーン機器の機能を再設計する必要はない。さらに、ネットワーク間のやり取りが回避され、これにより、ネットワーク間の相互分離が確保される。
【０１９６】
図９は、本発明の一実施形態によるアクセス装置のブロック図である。アクセス装置は、ソフトウェア、ハードウェア、又はソフトウェアとハードウェアとの組み合わせを用いて、ＳＦＥの全体又は一部として実現されてよい。アクセス装置は、図３又は図５〜図８のいずれか１つに提供されたアクセス方法において、ＳＦＥによって実行される段階を実現することができる。アクセス装置は、受信ユニット８０１及び処理ユニット８０２を含んでよい。
【０１９７】
受信ユニット８０１は、無線アクセスネットワークノードＲＡＮ  Ｎｏｄｅによって送信されたユーザ機器ＵＥのアクセス要求を受信するように構成される。
【０１９８】
処理ユニット８０２は、ＵＥのアクセス要求に基づいてＵＥの使用種別を判定し、ＵＥの使用種別に基づいてＵＥ用に、専用コアネットワーク内にあり且つＵＥにサービスを提供できるノードを選択し、アクセス要求をノードに送信するように構成される。専用コアネットワーク内にあり且つＵＥにサービスを提供できるノードは、ＵＥの使用種別に対応する。
【０１９９】
本発明のこの実施形態では、ＳＦＥは、ＵＥのアクセス要求を受信した場合、ＵＥのアクセス要求に基づいてＵＥの使用種別を判定し、ＵＥの使用種別に基づいて、対応する専用コアネットワークのノードをＵＥ用に選択する。これにより、アクセス要求を当該ノードに送信し、その後のアクセス手順を完了する。したがって、ＵＥによってアクセスされるノードが、ＵＥに対応する専用コアネットワークのノードであり、これにより、当該ノードはＵＥのセキュリティ検証を確実に完了できるようになる。さらに本方法では、アタッチ手順又はＴＡＵ手順が１回しか行われないので、シグナリングのやり取りを減らすことができ、ノードの処理遅延及び処理負荷が減少する。本方法では、ノードの機能を再設計する必要はない。さらに、専用コアネットワーク間のやり取りが回避され、これにより、専用コアネットワーク間の相互分離が確保される。
【０２００】
アクセス要求は、非アクセス層ＮＡＳ要求メッセージを含む。ＮＡＳ要求メッセージは、アタッチ要求メッセージ又は追跡領域更新ＴＡＵ要求メッセージである。
【０２０１】
実現可能な実装例において、処理ユニット８０２は、ＵＥの使用種別をアクセス要求から直接取得するように構成される。
【０２０２】
別の実現可能な実装例において、処理ユニット８０２は、ＵＥのＩＤを取得することと、加入者データ要求をＨＳＳに送信することであって、加入者データ要求はＵＥのＩＤを含み、加入者データ要求はＵＥの加入者データを要求するのに用いられる、送信することと、ＨＳＳによって返信されたＵＥの加入者データを受信することであって、ＵＥの加入者データはＵＥの使用種別を含む、受信することと、ＵＥの使用種別をＵＥの加入者データから取得することとを行うように構成される。
【０２０３】
さらに、処理ユニット８０２は、ＵＥのＩＤをアクセス要求から取得するように構成される。あるいは、処理ユニット８０２は、ＩＤ要求をＵＥに送信することであって、ＩＤ要求はＵＥのＩＤを要求するのに用いられる、送信することと、ＵＥによって返信されたＵＥのＩＤを受信することとを行うように構成される。あるいは、処理ユニット８０２は、アクセス要求内にあるＵＥの一時ＩＤを取得することであって、ＵＥの一時ＩＤはＵＥが配置されているソースネットワークのノードによってＵＥに割り当てられる、取得することと、コンテキスト要求をソースネットワークのノードに送信することであって、コンテキスト要求はＵＥの一時ＩＤを含み、コンテキスト要求はＵＥのコンテキストを要求するのに用いられる、送信することと、ソースネットワークのノードによって返信されたＵＥのコンテキストを受信して、ＵＥのＩＤをＵＥのコンテキストから取得することとを行うように構成される。
【０２０４】
別の実現可能な実装例において、処理ユニット８０２は、アクセス要求内にあるＵＥの一時ＩＤを取得することであって、ＵＥの一時ＩＤはＵＥが配置されているソースネットワークのノードによってＵＥに割り当てられる、取得することと、コンテキスト要求をソースネットワークのノードに送信することであって、コンテキスト要求はＵＥの一時ＩＤを含み、コンテキスト要求はＵＥのコンテキストを要求するのに用いられる、送信することと、ソースネットワークのノードによって返信されたＵＥのコンテキストを受信して、ＵＥの使用種別をＵＥのコンテキストから取得することとを行うように構成される。
【０２０５】
実現可能な実装例において、本装置はさらに、リダイレクトメッセージをＲＡＮ  Ｎｏｄｅに送信するように構成された送信ユニット８０３を含む。リダイレクトメッセージは、対応する専用コアネットワーク内にあり且つＳＦＥによってＵＥ用に選択されるノードに関する情報を含む。これにより、ＲＡＮ  ＮｏｄｅはＵＥに対応する専用コアネットワークのノードにアクセス要求を送信する。
【０２０６】
別の実現可能な実装例において、本装置はさらに、ＵＥに対応する専用コアネットワークのノードにアクセス要求を直接送信するように構成された送信ユニット８０３を含む。
【０２０７】
さらに送信ユニット８０３は、ＵＥに対応する専用コアネットワークのノードへのＳ１接続を確立し、Ｓ１接続を用いて、ＵＥに対応する専用コアネットワークのノードにアクセス要求を送信するように構成される。
【０２０８】
その上、送信ユニット８０３はさらに、ＲＡＮ  ＮｏｄｅとＵＥに対応する専用コアネットワークのノードとの間の転送ノードとして、ＲＡＮ  ＮｏｄｅとＵＥに対応する専用コアネットワークのノードとの間でメッセージを転送するように構成される。
【０２０９】
その上、受信ユニット８０１はさらに、ＵＥに対応する専用コアネットワークのノードによって送信されたメッセージを受信するように構成され、送信ユニット８０３は、当該メッセージをＲＡＮ  Ｎｏｄｅに転送するように構成される。あるいは、受信ユニットはさらに、ＲＡＮ  Ｎｏｄｅによって送信されたメッセージを受信するように構成され、送信ユニット８０３は、ＵＥに対応する専用コアネットワークのノード８０３に当該メッセージを転送するように構成される。
【０２１０】
図１０は、本発明の一実施形態によるアクセス装置のブロック図である。アクセス装置は、ソフトウェア、ハードウェア、又はソフトウェアとハードウェアとの組み合わせを用いて、ＲＡＮ  Ｎｏｄｅの全体又は一部として実現されてよい。アクセス装置は、図４〜図８のいずれか１つに提供されたアクセス方法において、ＲＡＮ  Ｎｏｄｅによって実行される段階を実現することができる。アクセス装置は、受信ユニット９０１、処理ユニット９０２、及び送信ユニット９０２を含んでよい。
【０２１１】
受信ユニット９０１は、ユーザ機器ＵＥによって送信されたアクセス要求を受信するように構成される。処理ユニット９０２は、ＵＥのソース専用コアネットワークのノードの識別子がアクセス要求から取得できない場合、又はアクセス要求で搬送されるソース専用コアネットワークのノードの識別子が、事前設定されたノード識別子テーブルにない場合、ソース専用コアネットワークのノードが到達不能であると判定するように構成される。送信ユニット９０３は、アクセス要求を選択機能エンティティＳＦＥに送信するように構成される。
【０２１２】
任意選択的に、受信ユニット９０１はさらに、ＵＥに対応する専用コアネットワーク内にあり且つ選択機能エンティティＳＦＥによって判定されるノードを受け入れるように構成され、ＵＥに対応する専用コアネットワークのノードは、ＵＥの使用種別に基づいてＳＦＥによってＵＥ用に選択され且つ専用コアネットワーク内にあり且つＵＥにサービスを提供できるノードである。送信ユニット９０３はさらに、ＵＥに対応する専用コアネットワークのノードにＵＥのアクセス要求を送信するように構成される。
【０２１３】
本発明のこの実施形態では、ＲＡＮ  Ｎｏｄｅは、ＵＥによって送信されたアクセス要求を受信した場合、選択機能エンティティＳＦＥを用いて、ＵＥに対応する専用コアネットワークのノードを判定し、ＵＥに対応する専用コアネットワークのノードにＵＥのアクセス要求を送信して、その後のアクセス手順を完了する。したがって、ＵＥによってアクセスされるノードが、ＵＥに対応する専用コアネットワークのノードであり、これにより、当該ノードはＵＥのセキュリティ検証を確実に完了できるようになる。さらに本方法では、アタッチ手順又はＴＡＵ手順が１回しか行われないので、シグナリングのやり取りを減らすことができ、ノードの処理遅延及び処理負荷が減少する。本方法では、ノードの機能を再設計する必要はなく、これにより、コストが減少する。さらに、専用コアネットワーク間のやり取りが回避され、これにより、専用コアネットワーク間の相互分離が確保される。
【０２１４】
受信ユニット９０１は、ＵＥのソースネットワークのノードの識別子が取得できない場合、又はＵＥのソースネットワークのノードが到達不能である場合、ＵＥに対応する専用コアネットワーク内にあり且つ選択機能エンティティＳＦＥによって判定されるノードを受け入れるように構成される。
【０２１５】
受信ユニット９０１は、ＳＦＥによって返信されたリダイレクトメッセージを受信するように構成され、リダイレクトメッセージは、ＵＥに対応する専用コアネットワークのノードに関する情報を含む。
【０２１６】
ＵＥのソースネットワークのノードの識別子は、世界的に一意なモビリティ管理エンティティ識別子ＧＵＭＭＥＩ、又はパケット一時的移動体加入者識別情報Ｐ−ＴＭＳＩである。
【０２１７】
アクセス要求は、非アクセス層ＮＡＳ要求メッセージを含む。ＮＡＳ要求メッセージは、アタッチ要求メッセージ又は追跡領域更新ＴＡＵ要求メッセージである。
【０２１８】
送信ユニット９０３は、アクセス要求をＳＦＥに送信し、ＳＦＥを用いて、ＵＥに対応する専用コアネットワークのノードにアクセス要求を直接送信するように構成される。
【０２１９】
さらに送信ユニット９０３は、ＳＦＥへのＳ１−アプリケーションプロトコルＡＰ接続を確立し、Ｓ１−ＡＰ接続を用いて、アクセス要求をＳＦＥに送信するように構成される。
【０２２０】
本発明のこの実施形態において、送信ユニット９０３はさらに、ＲＡＮ  ＮｏｄｅとＵＥに対応する専用コアネットワークのノードとの間の転送ノードとしてＳＦＥを用い、ＵＥに対応する専用コアネットワークのノードにメッセージを送信するように構成される。受信ユニット９０１はさらに、ＲＡＮ  ＮｏｄｅとＵＥに対応する専用コアネットワークのノードとの間の転送ノードとしてＳＦＥを用い、ＵＥに対応する専用コアネットワークのノードによって送信されたメッセージを受信するように構成される。
【０２２１】
本発明のこの実施形態において、受信ユニット９０１は、無線リソース制御ＲＲＣメッセージを用いてＵＥによって送信されたアクセス要求を受信するように構成される。
【０２２２】
その上、本装置はさらに、ＵＥのソースネットワークのノードの識別子をＲＲＣメッセージが搬送しているかどうかを判定し、ＵＥのソースネットワークのノードの識別子をアクセス要求が搬送している場合、ＵＥのソースネットワークのノードが到達可能であるかどうかを判定するように構成された判定ユニット９０４を含む。
【０２２３】
図１１は、本発明の一実施形態によるアクセスシステムのブロック図である。図１１を参照すると、本システムはＳＦＥ１１０１及びＲＡＮ  Ｎｏｄｅ１１０２を含む。
【０２２４】
ＳＦＥ１１０１は、無線アクセスネットワークノードＲＡＮ  Ｎｏｄｅによって送信されたユーザ機器ＵＥのアクセス要求を受信し、ＵＥのアクセス要求に基づいてＵＥの使用種別を判定し、ＵＥの使用種別に基づいてＵＥ用に、専用コアネットワーク内にあり且つＵＥにサービスを提供できるノードを選択するように構成される。専用コアネットワーク内にあり且つＵＥにサービスを提供できるノードは、ＵＥの使用種別に対応する。
【０２２５】
ＲＡＮ  Ｎｏｄｅ１１０２は、ユーザ機器ＵＥによって送信されたアクセス要求を受信し、ＵＥのソース専用コアネットワークのノードの識別子がアクセス要求から取得できない場合、又はアクセス要求で搬送されるソース専用コアネットワークのノードの識別子が、事前設定されたノード識別子テーブルにない場合、ソース専用コアネットワークのノードが到達不能であると判定し、アクセス要求を選択機能エンティティＳＦＥに送信するように構成される。
【０２２６】
ＳＦＥ１１０１は、図３又は図５〜図８のいずれか１つに提供されたアクセス方法においてＳＦＥによって実行される段階を実現することができる。ＲＡＮ  Ｎｏｄｅ１１０２は、図４〜図８のいずれか１つに提供されたアクセス方法においてＲＡＮ  Ｎｏｄｅによって実行される段階を実現することができる。
【０２２７】
前述の実施形態に提供されたアクセス装置がＵＥアクセスを行う場合、前述の機能ユニットの区分は一例にすぎないことに留意されたい。実際に利用する際には、前述の機能は必要に応じて実装のために異なる機能ユニットに割り当てられてよい。すなわち、デバイスの内部構造が異なる機能ユニットに分割されて、上述した機能の全て又は一部が実装される。さらに、前述の実施形態に提供されるアクセス装置、及びアクセス方法の実施形態は、同じ概念に基づいている。具体的な実装プロセスについては、方法の実施形態を参照されたい。さらなる詳細はここで提供しない。
【０２２８】
当業者であれば、実施形態の段階の全て又は一部が、ハードウェア又は関連ハードウェアに命令するプログラムによって実現されてよいことを理解できる。プログラムはコンピュータ可読記憶媒体に格納されてよい。記憶媒体は、リードオンリメモリ、磁気ディスク、光ディスクなどを含んでよい。
【０２２９】
前述の説明は、本発明の実施形態の例にすぎず、本発明の保護範囲を限定することを意図するものではない。本発明において開示された技術的範囲内で当業者が容易に考え出せる変形又は置換は全て、本発明の保護範囲に含まれるものとする。したがって、本発明の保護範囲は、特許請求の範囲の保護範囲によって決まるものとする。
【図１】
2019514273.tif 000003
【図２ａ】
2019514273.tif 000004
【図２ｂ】
2019514273.tif 000005
【図３】
2019514273.tif 000006
【図４】
2019514273.tif 000007
【図５】
2019514273.tif 000008
【図６】
2019514273.tif 000009
【図７】
2019514273.tif 000010
【図８】
2019514273.tif 000011
【図９】
2019514273.tif 000012
【図１０】
2019514273.tif 000013
【図１１】
2019514273.tif 000014
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
アクセス方法であって、
無線アクセスネットワークノード（ＲＡＮ  Ｎｏｄｅ）によって送信された、アクセスを要求するためのユーザ機器（ＵＥ）の非アクセス層要求メッセージ（ＮＡＳ要求メッセージ）を選択機能エンティティ（ＳＦＥ）が受信する段階と、
前記ＵＥの前記ＮＡＳ要求メッセージに基づいて前記ＵＥの使用種別を前記ＳＦＥが判定する段階と、
前記ＵＥの前記使用種別に基づいて前記ＵＥ用に、専用コアネットワーク内にあり且つ前記ＵＥにサービスを提供できるノードを前記ＳＦＥが選択する段階と
を備え、
前記専用コアネットワーク内にあり且つ前記ＵＥにサービスを提供できる前記ノードは、前記ＵＥの前記使用種別に対応する、方法。
【請求項２】
前記ＵＥの前記ＮＡＳ要求メッセージに基づいて前記ＵＥの使用種別を判定する前記段階は、前記ＵＥの前記使用種別を前記ＮＡＳ要求メッセージから取得する段階を有する、請求項１に記載の方法。
【請求項３】
前記ＵＥの前記ＮＡＳ要求メッセージに基づいて前記ＵＥの使用種別を判定する前記段階は、
前記ＵＥのＩＤを取得する段階と、
加入者データ要求をホーム加入者サーバ（ＨＳＳ）に送信する段階であって、前記加入者データ要求は前記ＵＥの前記ＩＤを含む、段階と、
前記ＨＳＳによって返信された前記ＵＥの加入者データを受信する段階であって、前記ＵＥの前記加入者データは前記ＵＥの前記使用種別を含む、段階と、
前記ＵＥの前記使用種別を前記ＵＥの前記加入者データから取得する段階と
を有する、請求項１に記載の方法。
【請求項４】
前記ＵＥのＩＤを取得する前記段階は、
前記ＵＥの前記ＩＤを前記ＮＡＳ要求メッセージから取得する段階を有するか、又は、
前記ＵＥのＩＤを取得する前記段階は、
ＩＤ要求を前記ＵＥに送信する段階であって、前記ＩＤ要求は前記ＵＥの前記ＩＤを要求するのに用いられる、段階と、
前記ＵＥによって返信された前記ＵＥの前記ＩＤを受信する段階と
を有するか、又は、
前記ＵＥのＩＤを取得する前記段階は、
前記ＮＡＳ要求メッセージ内にある前記ＵＥの一時ＩＤを取得する段階であって、前記ＵＥの前記一時ＩＤは、前記ＵＥが配置されているソース専用コアネットワークのノードによって前記ＵＥに割り当てられる、段階と、
前記ソース専用コアネットワークの前記ノードにコンテキスト要求を送信する段階であって、前記コンテキスト要求は前記ＵＥの前記一時ＩＤを含み、前記コンテキスト要求は前記ＵＥのコンテキストを要求するのに用いられる、段階と、
前記ソース専用コアネットワークの前記ノードによって返信された前記ＵＥの前記コンテキストを受信し、前記ＵＥの前記ＩＤを前記ＵＥの前記コンテキストから取得する段階と
を有する、請求項３に記載の方法。
【請求項５】
前記ＵＥの前記使用種別に基づいて前記ＵＥ用に、専用コアネットワーク内にあり且つ前記ＵＥにサービスを提供できるノードを選択する前記段階の後に、前記方法はさらに、
リダイレクトメッセージを前記ＲＡＮ  Ｎｏｄｅに送信する段階を備え、前記リダイレクトメッセージは、対応する前記専用コアネットワーク内にあり且つ前記ＳＦＥによって前記ＵＥ用に選択される前記ノードに関する情報を含み、これにより、前記ＲＡＮ  Ｎｏｄｅは前記ＵＥに対応する前記専用コアネットワークの前記ノードに前記ＮＡＳ要求メッセージを送信する、請求項１から４のいずれか一項に記載の方法。
【請求項６】
前記ＵＥの前記使用種別に基づいて前記ＵＥ用に、専用コアネットワーク内にあり且つ前記ＵＥにサービスを提供できるノードを選択する前記段階の後に、前記方法はさらに、
前記ＵＥに対応する前記専用コアネットワークの前記ノードに前記ＮＡＳ要求メッセージを送信する段階を備える、請求項１から４のいずれか一項に記載の方法。
【請求項７】
アクセス方法であって、
ユーザ機器（ＵＥ）によって送信された、アクセスを要求するための無線リソース制御メッセージ（ＲＲＣメッセージ）を無線アクセスネットワークノード（ＲＡＮ  Ｎｏｄｅ）が受信する段階であって、前記ＲＲＣメッセージは非アクセス層要求メッセージ（ＮＡＳ要求メッセージ）を含む、段階と、
前記ＲＲＣメッセージが前記ＵＥのソース専用コアネットワークのノードの識別子を含まない場合、又は前記ＲＲＣメッセージで搬送されるソース専用コアネットワークのノードの識別子が、事前設定されたノード識別子テーブルにない場合、前記ＮＡＳ要求メッセージを選択機能エンティティ（ＳＦＥ）に前記ＲＡＮ  Ｎｏｄｅが送信する段階と
を備える、方法。
【請求項８】
前記方法はさらに、
前記ＵＥに対応する専用コアネットワーク内にあるノードを前記選択機能エンティティ（ＳＦＥ）から前記ＲＡＮ  Ｎｏｄｅが受け入れる段階であって、前記ＵＥに対応する前記専用コアネットワークの前記ノードは、前記ＵＥの使用種別に基づいて前記ＵＥ用に選択され且つ専用コアネットワーク内にあり且つ前記ＵＥにサービスを提供できるノードである、段階と、
前記ＵＥに対応する前記専用コアネットワークの前記ノードに前記ＵＥの前記ＮＡＳ要求メッセージを送信する段階と
を備える、請求項７に記載の方法。
【請求項９】
前記ＮＡＳ要求メッセージをＳＦＥに送信する前記段階は、前記ＮＡＳ要求メッセージを前記ＵＥに対応する専用コアネットワークの前記ノードに前記ＳＦＥを通じて送信する段階を有する、請求項７又は８に記載の方法。
【請求項１０】
前記ＮＡＳ要求メッセージをＳＦＥに送信する前記段階の後に、前記方法はさらに、
前記ＲＡＮ  Ｎｏｄｅと前記ＵＥに対応する専用コアネットワークの前記ノードとの間の転送ノードとして前記ＳＦＥを用いて、前記ＵＥに対応する前記専用コアネットワークの前記ノードにメッセージを送信するか、又は前記ＵＥに対応する前記専用コアネットワークの前記ノードによって送信されたメッセージを受信する段階を備える、請求項７から９のいずれか一項に記載の方法。
【請求項１１】
無線アクセスネットワークノード（ＲＡＮ  Ｎｏｄｅ）によって送信された、アクセスを要求するためのユーザ機器（ＵＥ）の非アクセス層要求メッセージ（ＮＡＳ要求メッセージ）を受信するように構成された受信機と、
前記ＵＥの前記ＮＡＳ要求メッセージに基づいて前記ＵＥの使用種別を判定し、前記ＵＥの前記使用種別に基づいて前記ＵＥ用に、専用コアネットワーク内にあり且つ前記ＵＥにサービスを提供できるノードを選択するように構成されたプロセッサと
を備え、
前記専用コアネットワーク内にあり且つ前記ＵＥにサービスを提供できる前記ノードは、前記ＵＥの前記使用種別に対応する、装置。
【請求項１２】
前記プロセッサは、前記ＵＥの前記使用種別を前記ＮＡＳ要求メッセージから取得するように構成される、請求項１１に記載の装置。
【請求項１３】
前記プロセッサは、
前記ＵＥのＩＤを取得することと、
加入者データ要求をＨＳＳに送信することであって、前記加入者データ要求は前記ＵＥの前記ＩＤを含み、前記加入者データ要求は前記ＵＥの加入者データを要求するのに用いられる、送信することと、
前記ＨＳＳによって返信された前記ＵＥの前記加入者データを受信することと、
前記ＵＥの前記使用種別を前記ＵＥの前記加入者データから取得することと
を行うように構成される、請求項１１に記載の装置。
【請求項１４】
前記プロセッサは、
前記ＵＥの前記ＩＤを前記ＮＡＳ要求メッセージから取得するように構成されるか、又は、
前記プロセッサは、
ＩＤ要求を前記ＵＥに送信することであって、前記ＩＤ要求は前記ＵＥの前記ＩＤを要求するのに用いられる、送信することと、
前記ＵＥによって返信された前記ＵＥの前記ＩＤを受信することと
を行うように構成されるか、又は、
前記プロセッサは、
前記ＮＡＳ要求メッセージ内にある前記ＵＥの一時ＩＤを取得することであって、前記ＵＥの前記一時ＩＤは、前記ＵＥが配置されているソース専用コアネットワークのノードによって前記ＵＥに割り当てられる、取得することと、
前記ソース専用コアネットワークの前記ノードにコンテキスト要求を送信することであって、前記コンテキスト要求は前記ＵＥの前記一時ＩＤを含み、前記コンテキスト要求は前記ＵＥのコンテキストを要求するのに用いられる、送信することと、
前記ソース専用コアネットワークの前記ノードによって返信された前記ＵＥの前記コンテキストを受信し、前記ＵＥの前記ＩＤを前記ＵＥの前記コンテキストから取得することと
を行うように構成される、請求項１３に記載の装置。
【請求項１５】
前記装置はさらに、リダイレクトメッセージを前記ＲＡＮ  Ｎｏｄｅに送信するように構成された送信機を備え、前記リダイレクトメッセージは、対応する前記専用コアネットワーク内にあり且つＳＦＥによって前記ＵＥ用に選択される前記ノードに関する情報を含み、これにより、前記ＲＡＮ  Ｎｏｄｅは、前記ＵＥに対応する前記専用コアネットワークの前記ノードに前記ＮＡＳ要求メッセージを送信する、請求項１１から１４のいずれか一項に記載の装置。
【請求項１６】
前記装置はさらに、前記ＵＥに対応する前記専用コアネットワークの前記ノードに前記ＮＡＳ要求メッセージを送信するように構成された送信機を備える、請求項１１から１４のいずれか一項に記載の装置。
【請求項１７】
ユーザ機器（ＵＥ）によって送信された、アクセスを要求するための無線リソース制御メッセージ（ＲＲＣメッセージ）を受信するように構成された受信機であって、前記ＲＲＣメッセージは非アクセス層要求メッセージ（ＮＡＳ要求メッセージ）を含む、受信機と、
前記ＲＲＣメッセージが前記ＵＥのソース専用コアネットワークのノードの識別子を含まない場合、又は前記ＲＲＣメッセージで搬送されるソース専用コアネットワークのノードの識別子が、事前設定されたノード識別子テーブルにない場合、前記ＮＡＳ要求メッセージを選択機能エンティティ（ＳＦＥ）に送信するように構成された送信機と
を備える装置。
【請求項１８】
前記受信機はさらに、前記ＵＥに対応する専用コアネットワーク内にあるノードを前記選択機能エンティティ（ＳＦＥ）から受け入れるように構成され、前記ＵＥに対応する前記専用コアネットワークの前記ノードは、前記ＵＥの使用種別に基づいて前記ＵＥ用に選択され且つ専用コアネットワーク内にあり且つ前記ＵＥにサービスを提供できるノードであり、
前記送信機はさらに、前記ＵＥに対応する前記専用コアネットワークの前記ノードに前記ＵＥの前記ＮＡＳ要求メッセージを送信するように構成される、請求項１７に記載の装置。
【請求項１９】
前記送信機は、前記ＮＡＳ要求メッセージを前記ＵＥに対応する専用コアネットワークの前記ノードに前記ＳＦＥを通じて送信するように構成される、請求項１７に記載の装置。
【請求項２０】
専用コアネットワークに適用されるアクセスデバイスであって、前記アクセスデバイスは、プロセッサと、メモリと、通信インタフェースとを備え、
前記メモリはソフトウェアプログラム及びモジュールを格納するように構成され、
前記プロセッサは前記メモリに格納された前記ソフトウェアプログラム及び／又は前記モジュールを起動又は実行して、以下のオペレーション、すなわち、
アクセスを要求するためのユーザ機器（ＵＥ）の非アクセス層要求メッセージ（ＮＡＳ要求メッセージ）を無線アクセスネットワークノード（ＲＡＮ  Ｎｏｄｅ）から受信するオペレーションと、
前記ＵＥの前記ＮＡＳ要求メッセージに基づいて前記ＵＥの使用種別を判定するオペレーションと、
前記ＵＥの前記使用種別に基づいて前記ＵＥ用に、専用コアネットワーク内にあり且つ前記ＵＥにサービスを提供できるノードを選択するオペレーションであって、前記専用コアネットワーク内にあり且つ前記ＵＥにサービスを提供できる前記ノードは、前記ＵＥの前記使用種別に対応する、オペレーションと
を実施する、アクセスデバイス。
【請求項２１】
専用コアネットワークに適用されるアクセスデバイスであって、前記アクセスデバイスは、プロセッサと、メモリと、通信インタフェースとを備え、
前記メモリはソフトウェアプログラム及びモジュールを格納するように構成され、
前記プロセッサは、前記メモリに格納された前記ソフトウェアプログラム及び／又は前記モジュールを起動又は実行して、以下のオペレーション、すなわち、
ユーザ機器（ＵＥ）によって送信された、アクセスを要求するための無線リソース制御メッセージ（ＲＲＣメッセージ）を受信するオペレーションであって、前記ＲＲＣメッセージは非アクセス層要求メッセージ（ＮＡＳ要求メッセージ）を含む、オペレーションと、
前記ＲＲＣメッセージが前記ＵＥのソース専用コアネットワークのノードの識別子を含まない場合、又は前記ＲＲＣメッセージで搬送されるソース専用コアネットワークのノードの識別子が、事前設定されたノード識別子テーブルにない場合、前記ＮＡＳ要求メッセージを選択機能エンティティ（ＳＦＥ）に送信するオペレーションと
を実施する、アクセスデバイス。
【請求項２２】
無線アクセスネットワークノード（ＲＡＮ  Ｎｏｄｅ）によって送信されたユーザ機器（ＵＥ）の非アクセス層要求メッセージ（ＮＡＳ要求メッセージ）を受信し、前記ＵＥの前記ＮＡＳ要求メッセージに基づいて前記ＵＥの使用種別を判定し、前記ＵＥの前記使用種別に基づいて前記ＵＥ用に、専用コアネットワーク内にあり且つ前記ＵＥにサービスを提供できるノードを選択するように構成された選択機能エンティティ（ＳＦＥ）であって、前記専用コアネットワーク内にあり且つ前記ＵＥにサービスを提供できる前記ノードは、前記ＵＥの前記使用種別に対応する、選択機能エンティティ（ＳＦＥ）と、
前記ユーザ機器（ＵＥ）によって送信された、アクセスを要求するための無線リソース制御メッセージ（ＲＲＣメッセージ）を受信することであって、前記ＲＲＣメッセージは前記ＮＡＳ要求メッセージを含む、受信することと、前記ＲＲＣメッセージが前記ＵＥのソース専用コアネットワークのノードの識別子を含まない場合、又は前記ＲＲＣメッセージで搬送されるソース専用コアネットワークのノードの識別子が、事前設定されたノード識別子テーブルにない場合、前記ＮＡＳ要求メッセージを前記選択機能エンティティ（ＳＦＥ）に送信することとを行うように構成された前記無線アクセスネットワークノード（ＲＡＮ  Ｎｏｄｅ）と
を備えるシステム。
【請求項２３】
請求項１から１０のいずれか一項に記載の方法をコンピュータに実行させるための、プログラム。
【手続補正２】
【補正対象書類名】明細書
【補正対象項目名】００９３
【補正方法】変更
【補正の内容】
【００９３】
ＵＥは初期アクセスを行うので、ＵＥは対応するネットワークにアクセスしたことがなく、制御プレーン機器の識別子（例えば、世界的に一意なモビリティ管理エンティティ識別子（Ｇｌｏｂａｌｌｙ  Ｕｎｉｑｕｅ  ＭＭＥ  Ｉｄｅｎｔｉｔｙ、略してＧＵＭＭＥＩ）又はパケット一時的移動体加入者識別情報（Ｐａｃｋｅｔ  Ｔｅｍｐｏｒａｒｙ  Ｍｏｂｉｌｅ  Ｓｕｂｓｃｒｉｐｔｉｏｎ  Ｉｄｅｎｔｉｔｙ、略してＰ−ＴＭＳＩ））はＵＥに割り当てられていない。
【手続補正３】
【補正対象書類名】明細書
【補正対象項目名】０１２２
【補正方法】変更
【補正の内容】
【０１２２】
本発明のこの実施形態において、ＲＡＮ  Ｎｏｄｅは、ＵＥによって送信された初期アタッチ要求を受信した後に、初期アタッチ要求をＳＦＥに直接送信し、次に、ＳＦＥによって返信されたリダイレクトメッセージを受信する。リダイレクトメッセージは、ＵＥの使用種別に基づいてＵＥ用にＳＦＥによって選択された制御プレーン機器（ＭＭＥなど）に関する情報を含む。次に、ＲＡＮ  Ｎｏｄｅは、ＵＥの初期アタッチ要求を制御プレーン機器に送信して、その後のアクセス手順を完了する。本方法において、ＳＦＥは、ＵＥの使用種別に基づいて制御プレーン機器をＵＥ用に選択し、次に、ＵＥは制御プレーン機器が配置されているネットワークにアクセスする。すなわち、ＵＥによってアクセスされる制御プレーン機器が、ＵＥに対応するネットワークの制御プレーン機器である。これにより、当該制御プレーン機器はＵＥのセキュリティ検証を確実に完了できるようになる。さらに本方法では、アタッチ手順又はＴＡＵ手順が１回しか行われないので、シグナリングのやり取りを減らすことができ、制御プレーン機器の処理遅延及び処理負荷が減少する。本方法では、制御プレーン機器の機能を再設計する必要はない。さらに、ネットワーク間のやり取りが回避され、これにより、ネットワーク間の相互分離が確保される。
【手続補正４】
【補正対象書類名】明細書
【補正対象項目名】０１５５
【補正方法】変更
【補正の内容】
【０１５５】
本発明のこの実施形態では、ＲＡＮ  ＮｏｄｅがＵＥによって送信されたアクセス要求を受信する場合、ＵＥのソースネットワークの制御プレーン機器が到達不能であるならば、ＲＡＮ  Ｎｏｄｅはアクセス要求をＳＦＥに直接送信し、次に、ＳＦＥによって返信されたリダイレクトメッセージを受信する。リダイレクトメッセージは、ＵＥの使用種別に基づいてＵＥ用にＳＦＥによって選択された制御プレーン機器（ＭＭＥなど）に関する情報を含む。次に、ＲＡＮ  Ｎｏｄｅは、ＵＥのアクセス要求を制御プレーン機器に送信して、その後のアクセス手順を完了する。本方法において、ＳＦＥは、ＵＥの使用種別に基づいて制御プレーン機器をＵＥ用に選択し、次に、ＵＥは制御プレーン機器が配置されているネットワークにアクセスする。すなわち、ＵＥによってアクセスされる制御プレーン機器が、ＵＥに対応するネットワークの制御プレーン機器である。これにより、当該制御プレーン機器はＵＥのセキュリティ検証を確実に完了できるようになる。さらに本方法では、アタッチ手順又はＴＡＵ手順が１回しか行われないので、シグナリングのやり取りを減らすことができ、制御プレーン機器の処理遅延及び処理負荷が減少する。本方法では、制御プレーン機器の機能を再設計する必要はない。さらに、ネットワーク間のやり取りが回避され、これにより、ネットワーク間の相互分離が確保される。
【手続補正５】
【補正対象書類名】明細書
【補正対象項目名】０１７５
【補正方法】変更
【補正の内容】
【０１７５】
本発明のこの実施形態では、ＲＡＮ  Ｎｏｄｅは、ＵＥによって送信された初期アタッチ要求を受信した後に、初期アタッチ要求をＳＦＥに直接送信し、ＳＦＥは、ＵＥの使用種別に基づいて制御プレーン機器（ＭＭＥなど）をＵＥ用に選択し、次に、ＵＥの初期アタッチ要求を制御プレーン機器に送信し、その後のアクセス手順を完了する。本方法において、ＳＦＥは、ＵＥの使用種別に基づいて制御プレーン機器をＵＥ用に選択し、次に、ＵＥは制御プレーン機器が配置されているネットワークにアクセスする。すなわち、ＵＥによってアクセスされる制御プレーン機器が、ＵＥに対応するネットワークの制御プレーン機器である。これにより、当該制御プレーン機器はＵＥのセキュリティ検証を確実に完了できるようになる。さらに本方法では、アタッチ手順又はＴＡＵ手順が１回しか行われないので、シグナリングのやり取りを減らすことができ、制御プレーン機器の処理遅延及び処理負荷が減少する。本方法では、制御プレーン機器の機能を再設計する必要はない。さらに、ネットワーク間のやり取りが回避され、これにより、ネットワーク間の相互分離が確保される。
【手続補正６】
【補正対象書類名】明細書
【補正対象項目名】０１９５
【補正方法】変更
【補正の内容】
【０１９５】
本発明のこの実施形態では、ＲＡＮ  ＮｏｄｅがＵＥによって送信されたアクセス要求を受信する場合、ＵＥのソースネットワークの制御プレーン機器が到達不能であるならば、ＲＡＮ  Ｎｏｄｅはアクセス要求をＳＦＥに直接送信し、ＳＦＥは、ＵＥの使用種別に基づいて制御プレーン機器（ＭＭＥなど）をＵＥ用に選択し、次に、ＵＥのアクセス要求を制御プレーン機器に送信して、その後のアクセス手順を完了する。本方法において、ＳＦＥは、ＵＥの使用種別に基づいて制御プレーン機器をＵＥ用に選択し、次に、ＵＥは制御プレーン機器が配置されているネットワークにアクセスする。すなわち、ＵＥによってアクセスされる制御プレーン機器が、ＵＥに対応するネットワークの制御プレーン機器である。これにより、当該制御プレーン機器はＵＥのセキュリティ検証を確実に完了できるようになる。さらに本方法では、アタッチ手順又はＴＡＵ手順が１回しか行われないので、シグナリングのやり取りを減らすことができ、制御プレーン機器の処理遅延及び処理負荷が減少する。本方法では、制御プレーン機器の機能を再設計する必要はない。さらに、ネットワーク間のやり取りが回避され、これにより、ネットワーク間の相互分離が確保される。
【手続補正７】
【補正対象書類名】明細書
【補正対象項目名】０２０９
【補正方法】変更
【補正の内容】
【０２０９】
その上、受信ユニット８０１はさらに、ＵＥに対応する専用コアネットワークのノードによって送信されたメッセージを受信するように構成され、送信ユニット８０３は、当該メッセージをＲＡＮ  Ｎｏｄｅに転送するように構成される。あるいは、受信ユニットはさらに、ＲＡＮ  Ｎｏｄｅによって送信されたメッセージを受信するように構成され、送信ユニット８０３は、ＵＥに対応する専用コアネットワークのノードに当該メッセージを転送するように構成される。
【手続補正８】
【補正対象書類名】明細書
【補正対象項目名】０２１０
【補正方法】変更
【補正の内容】
【０２１０】
図１０は、本発明の一実施形態によるアクセス装置のブロック図である。アクセス装置は、ソフトウェア、ハードウェア、又はソフトウェアとハードウェアとの組み合わせを用いて、ＲＡＮ  Ｎｏｄｅの全体又は一部として実現されてよい。アクセス装置は、図４〜図８のいずれか１つに提供されたアクセス方法において、ＲＡＮ  Ｎｏｄｅによって実行される段階を実現することができる。アクセス装置は、受信ユニット９０１、処理ユニット９０２、及び送信ユニット９０３を含んでよい。
【手続補正９】
【補正対象書類名】明細書
【補正対象項目名】０２２９
【補正方法】変更
【補正の内容】
【０２２９】
前述の説明は、本発明の実施形態の例にすぎず、本発明の保護範囲を限定することを意図するものではない。本発明において開示された技術的範囲内で当業者が容易に考え出せる変形又は置換は全て、本発明の保護範囲に含まれるものとする。したがって、本発明の保護範囲は、特許請求の範囲の保護範囲によって決まるものとする。
（項目１）
専用コアネットワークに適用されるアクセス方法であって、
無線アクセスネットワークノードＲＡＮ  Ｎｏｄｅによって送信されたユーザ機器ＵＥのアクセス要求を選択機能エンティティＳＦＥが受信する段階と、
上記ＵＥの上記アクセス要求に基づいて上記ＵＥの使用種別を上記ＳＦＥが判定する段階と、
上記ＵＥの上記使用種別に基づいて上記ＵＥ用に、専用コアネットワーク内にあり且つ上記ＵＥにサービスを提供できるノードを上記ＳＦＥが選択する段階と
を備え、
上記専用コアネットワーク内にあり且つ上記ＵＥにサービスを提供できる上記ノードは、上記ＵＥの上記使用種別に対応する、方法。
（項目２）
上記ＵＥの上記アクセス要求に基づいて上記ＵＥの使用種別を判定する上記段階は、上記ＵＥの上記使用種別を上記アクセス要求から直接取得する段階を有する、項目１に記載の方法。
（項目３）
上記ＵＥの上記アクセス要求に基づいて上記ＵＥの使用種別を判定する上記段階は、
上記ＵＥのＩＤを取得する段階と、
加入者データ要求をホーム加入者サーバＨＳＳに送信する段階であって、上記加入者データ要求は上記ＵＥの上記ＩＤを含む、段階と、
上記ＨＳＳによって返信された上記ＵＥの加入者データを受信する段階であって、上記ＵＥの上記加入者データは上記ＵＥの上記使用種別を含む、段階と、
上記ＵＥの上記使用種別を上記ＵＥの上記加入者データから取得する段階と
を有する、項目１に記載の方法。
（項目４）
上記ＵＥのＩＤを取得する上記段階は、
上記ＵＥの上記ＩＤを上記アクセス要求から取得する段階を有するか、又は、
上記ＵＥのＩＤを取得する上記段階は、
ＩＤ要求を上記ＵＥに送信する段階であって、上記ＩＤ要求は上記ＵＥの上記ＩＤを要求するのに用いられる、段階と、
上記ＵＥによって返信された上記ＵＥの上記ＩＤを受信する段階と
を有するか、又は、
上記ＵＥのＩＤを取得する上記段階は、
上記アクセス要求内にある上記ＵＥの一時ＩＤを取得する段階であって、上記ＵＥの上記一時ＩＤは、上記ＵＥが配置されているソース専用コアネットワークのノードによって上記ＵＥに割り当てられる、段階と、
上記ソース専用コアネットワークの上記ノードにコンテキスト要求を送信する段階であって、上記コンテキスト要求は上記ＵＥの上記一時ＩＤを含み、上記コンテキスト要求は上記ＵＥのコンテキストを要求するのに用いられる、段階と、
上記ソース専用コアネットワークの上記ノードによって返信された上記ＵＥの上記コンテキストを受信し、上記ＵＥの上記ＩＤを上記ＵＥの上記コンテキストから取得する段階と
を有する、項目３に記載の方法。
（項目５）
上記ＵＥの上記アクセス要求に基づいて上記ＵＥの使用種別を判定する上記段階は、
上記アクセス要求内にある上記ＵＥの一時ＩＤを取得する段階であって、上記ＵＥの上記一時ＩＤは、上記ＵＥが配置されているソース専用コアネットワークのノードによって上記ＵＥに割り当てられる、段階と、
上記ソース専用コアネットワークの上記ノードにコンテキスト要求を送信する段階であって、上記コンテキスト要求は上記ＵＥの上記一時ＩＤを含み、上記コンテキスト要求は上記ＵＥのコンテキストを要求するのに用いられる、段階と、
上記ソース専用コアネットワークの上記ノードによって返信された上記ＵＥの上記コンテキストを受信し、上記ＵＥの上記使用種別を上記ＵＥの上記コンテキストから取得する段階と
を有する、項目１に記載の方法。
（項目６）
上記ＵＥの上記使用種別に基づいて上記ＵＥ用に、専用コアネットワーク内にあり且つ上記ＵＥにサービスを提供できるノードを選択する上記段階の後に、上記方法はさらに、
リダイレクトメッセージを上記ＲＡＮ  Ｎｏｄｅに送信する段階を備え、上記リダイレクトメッセージは、対応する上記専用コアネットワーク内にあり且つ上記ＳＦＥによって上記ＵＥ用に選択される上記ノードに関する情報を含み、これにより、上記ＲＡＮ  Ｎｏｄｅは上記ＵＥに対応する上記専用コアネットワークの上記ノードに上記アクセス要求を送信する、項目１から５のいずれか一項に記載の方法。
（項目７）
上記ＵＥの上記使用種別に基づいて上記ＵＥ用に、専用コアネットワーク内にあり且つ上記ＵＥにサービスを提供できるノードを選択する上記段階の後に、上記方法はさらに、
上記ＵＥに対応する上記専用コアネットワークの上記ノードに上記アクセス要求を直接送信する段階を備える、項目１から５のいずれか一項に記載の方法。
（項目８）
上記ＵＥに対応する上記専用コアネットワークの上記ノードに上記アクセス要求を直接送信する上記段階は、
上記ＵＥに対応する上記専用コアネットワークの上記ノードへのＳ１接続を確立する段階と、
上記Ｓ１接続を用いて、上記ＵＥに対応する上記専用コアネットワークの上記ノードに上記アクセス要求を送信する段階と
を有する、項目７に記載の方法。
（項目９）
上記ＵＥに対応する上記専用コアネットワークの上記ノードに上記アクセス要求を直接送信する上記段階の後に、上記方法はさらに、
上記ＲＡＮ  Ｎｏｄｅと上記ＵＥに対応する上記専用コアネットワークの上記ノードとの間の転送ノードとしての上記ＳＦＥが、上記ＲＡＮ  Ｎｏｄｅと上記ＵＥに対応する上記専用コアネットワークの上記ノードとの間でメッセージを転送する段階を備える、項目７又は８に記載の方法。
（項目１０）
上記ＲＡＮ  Ｎｏｄｅと上記ＵＥに対応する上記専用コアネットワークの上記ノードとの間でメッセージを転送する上記段階は、
上記ＵＥに対応する上記専用コアネットワークの上記ノードによって送信されたメッセージを受信する段階と、
上記メッセージを上記ＲＡＮ  Ｎｏｄｅに転送する段階と
を有するか、又は、
上記ＲＡＮ  Ｎｏｄｅによって送信されたメッセージを受信する段階と、
上記ＵＥに対応する上記専用コアネットワークの上記ノードに上記メッセージを転送する段階と
を有する、項目９に記載の方法。
（項目１１）
専用コアネットワークに適用されるアクセス方法であって、
ユーザ機器ＵＥによって送信されたアクセス要求を無線アクセスネットワークノードＲＡＮ  Ｎｏｄｅが受信する段階と、
上記ＵＥのソース専用コアネットワークのノードの識別子が上記アクセス要求から取得できない場合、又は上記アクセス要求で搬送されるソース専用コアネットワークのノードの識別子が、事前設定されたノード識別子テーブルにない場合、上記ソース専用コアネットワークの上記ノードが到達不能であると上記ＲＡＮ  Ｎｏｄｅが判定する段階と、
上記アクセス要求を選択機能エンティティＳＦＥに上記ＲＡＮ  Ｎｏｄｅが送信する段階と
を備える、方法。
（項目１２）
上記方法はさらに、
上記ＵＥに対応する専用コアネットワーク内にあり且つ上記選択機能エンティティＳＦＥによって判定されるノードを上記ＲＡＮ  Ｎｏｄｅが受け入れる段階であって、上記ＵＥに対応する上記専用コアネットワークの上記ノードは、上記ＵＥの使用種別に基づいて上記ＵＥ用に選択され且つ専用コアネットワーク内にあり且つ上記ＵＥにサービスを提供できるノードである、段階と、
上記ＵＥに対応する上記専用コアネットワークの上記ノードに上記ＵＥの上記アクセス要求を送信する段階と
を備える、項目１１に記載の方法。
（項目１３）
上記アクセス要求をＳＦＥに送信する上記段階は、上記アクセス要求を上記ＳＦＥに送信し、上記ＳＦＥを用いて、上記ＵＥに対応する上記専用コアネットワークの上記ノードに上記アクセス要求を直接送信する段階を有する、項目１１又は１２に記載の方法。
（項目１４）
上記アクセス要求をＳＦＥに送信する上記段階の後に、上記方法はさらに、
上記ＲＡＮ  Ｎｏｄｅと上記ＵＥに対応する上記専用コアネットワークの上記ノードとの間の転送ノードとして上記ＳＦＥを用いて、上記ＵＥに対応する上記専用コアネットワークの上記ノードにメッセージを送信するか、又は上記ＵＥに対応する上記専用コアネットワークの上記ノードによって送信されたメッセージを受信する段階を備える、項目１１から１３のいずれか一項に記載の方法。
（項目１５）
専用コアネットワークに適用されるアクセス装置であって、
無線アクセスネットワークノードＲＡＮ  Ｎｏｄｅによって送信されたユーザ機器ＵＥのアクセス要求を受信するように構成された受信ユニットと、
上記ＵＥの上記アクセス要求に基づいて上記ＵＥの使用種別を判定し、上記ＵＥの上記使用種別に基づいて上記ＵＥ用に、専用コアネットワーク内にあり且つ上記ＵＥにサービスを提供できるノードを選択するように構成された処理ユニットと
を備え、
上記専用コアネットワーク内にあり且つ上記ＵＥにサービスを提供できる上記ノードは、上記ＵＥの上記使用種別に対応する、装置。
（項目１６）
上記処理ユニットは、上記ＵＥの上記使用種別を上記アクセス要求から直接取得するように構成される、項目１５に記載の装置。
（項目１７）
上記処理ユニットは、
上記ＵＥのＩＤを取得することと、
加入者データ要求をＨＳＳに送信することであって、上記加入者データ要求は上記ＵＥの上記ＩＤを含み、上記加入者データ要求は上記ＵＥの加入者データを要求するのに用いられる、送信することと、
上記ＨＳＳによって返信された上記ＵＥの上記加入者データを受信することと、
上記ＵＥの上記使用種別を上記ＵＥの上記加入者データから取得することと
を行うように構成される、項目１５に記載の装置。
（項目１８）
上記処理ユニットは、
上記ＵＥの上記ＩＤを上記アクセス要求から取得するように構成されるか、又は、
上記処理ユニットは、
ＩＤ要求を上記ＵＥに送信することであって、上記ＩＤ要求は上記ＵＥの上記ＩＤを要求するのに用いられる、送信することと、
上記ＵＥによって返信された上記ＵＥの上記ＩＤを受信することと
を行うように構成されるか、又は、
上記処理ユニットは、
上記アクセス要求内にある上記ＵＥの一時ＩＤを取得することであって、上記ＵＥの上記一時ＩＤは、上記ＵＥが配置されているソース専用コアネットワークのノードによって上記ＵＥに割り当てられる、取得することと、
上記ソース専用コアネットワークの上記ノードにコンテキスト要求を送信することであって、上記コンテキスト要求は上記ＵＥの上記一時ＩＤを含み、上記コンテキスト要求は上記ＵＥのコンテキストを要求するのに用いられる、送信することと、
上記ソース専用コアネットワークの上記ノードによって返信された上記ＵＥの上記コンテキストを受信し、上記ＵＥの上記ＩＤを上記ＵＥの上記コンテキストから取得することと
を行うように構成される、項目１７に記載の装置。
（項目１９）
上記処理ユニットは、
上記アクセス要求内にある上記ＵＥの一時ＩＤを取得することであって、上記ＵＥの上記一時ＩＤは、上記ＵＥが配置されているソース専用コアネットワークのノードによって上記ＵＥに割り当てられる、取得することと、
上記ソース専用コアネットワークの上記ノードにコンテキスト要求を送信することであって、上記コンテキスト要求は上記ＵＥの上記一時ＩＤを含み、上記コンテキスト要求は上記ＵＥのコンテキストを要求するのに用いられる、送信することと、
上記ソース専用コアネットワークの上記ノードによって返信された上記ＵＥの上記コンテキストを受信し、上記ＵＥの上記使用種別を上記ＵＥの上記コンテキストから取得することと
を行うように構成される、項目１５に記載の装置。
（項目２０）
上記装置はさらに、リダイレクトメッセージを上記ＲＡＮ  Ｎｏｄｅに送信するように構成された送信ユニットを備え、上記リダイレクトメッセージは、対応する上記専用コアネットワーク内にあり且つ上記ＳＦＥによって上記ＵＥ用に選択される上記ノードに関する情報を含み、これにより、上記ＲＡＮ  Ｎｏｄｅは、上記ＵＥに対応する上記専用コアネットワークの上記ノードに上記アクセス要求を送信する、項目１５から１９のいずれか一項に記載の装置。
（項目２１）
上記装置はさらに、上記ＵＥに対応する上記専用コアネットワークの上記ノードに上記アクセス要求を直接送信するように構成された送信ユニットを備える、項目１５から１９のいずれか一項に記載の装置。
（項目２２）
上記送信ユニットは、
上記ＵＥに対応する上記専用コアネットワークの上記ノードへのＳ１接続を確立し、
上記Ｓ１接続を用いて、上記ＵＥに対応する上記専用コアネットワークの上記ノードに上記アクセス要求を送信するように構成される、項目２１に記載の装置。
（項目２３）
上記送信ユニットは、上記ＲＡＮ  Ｎｏｄｅと上記ＵＥに対応する上記専用コアネットワークの上記ノードとの間の転送ノードとして、上記ＲＡＮ  Ｎｏｄｅと上記ＵＥに対応する上記専用コアネットワークの上記ノードとの間でメッセージを転送するように構成される、項目２１又は２２に記載の装置。
（項目２４）
上記受信ユニットはさらに、上記ＵＥに対応する上記専用コアネットワークの上記ノードによって送信されたメッセージを受信するように構成され、
上記送信ユニットは、上記メッセージを上記ＲＡＮ  Ｎｏｄｅに転送するように構成されるか、又は、
上記受信ユニットはさらに、上記ＲＡＮ  Ｎｏｄｅによって送信されたメッセージを受信するように構成され、
上記送信ユニットは、上記ＵＥに対応する上記専用コアネットワークの上記ノードに上記メッセージを転送するように構成される、項目２３に記載の装置。
（項目２５）
専用コアネットワークに適用されるアクセス装置であって、
ユーザ機器ＵＥによって送信されたアクセス要求を受信するように構成された受信ユニットと、
上記ＵＥのソース専用コアネットワークのノードの識別子が上記アクセス要求から取得できない場合、又は上記アクセス要求で搬送されるソース専用コアネットワークのノードの識別子が、事前設定されたノード識別子テーブルにない場合、上記ソース専用コアネットワークの上記ノードが到達不能であると判定するように構成された処理ユニットと、
上記アクセス要求を選択機能エンティティＳＦＥに送信するように構成された送信ユニットと
を備える装置。
（項目２６）
上記受信ユニットはさらに、上記ＵＥに対応する専用コアネットワーク内にあり且つ上記選択機能エンティティＳＦＥによって判定されるノードを受け入れるように構成され、上記ＵＥに対応する上記専用コアネットワークの上記ノードは、上記ＵＥの使用種別に基づいて上記ＳＦＥによって上記ＵＥ用に選択され且つ専用コアネットワーク内にあり且つ上記ＵＥにサービスを提供できるノードであり、
上記送信ユニットはさらに、上記ＵＥに対応する上記専用コアネットワークの上記ノードに上記ＵＥの上記アクセス要求を送信するように構成される、項目２５に記載の装置。
（項目２７）
上記送信ユニットは、上記アクセス要求を上記ＳＦＥに送信し、上記ＳＦＥを用いて、上記ＵＥに対応する上記専用コアネットワークの上記ノードに上記アクセス要求を直接送信するように構成される、項目２５又は２６に記載の装置。
（項目２８）
上記送信ユニットはさらに、上記ＲＡＮ  Ｎｏｄｅと上記ＵＥに対応する上記専用コアネットワークの上記ノードとの間の転送ノードとして上記ＳＦＥを用い、上記ＵＥに対応する上記専用コアネットワークの上記ノードにメッセージを送信するように構成され、
上記受信ユニットはさらに、上記ＲＡＮ  Ｎｏｄｅと上記ＵＥに対応する上記専用コアネットワークの上記ノードとの間の転送ノードとして上記ＳＦＥを用い、上記ＵＥに対応する上記専用コアネットワークの上記ノードによって送信されたメッセージを受信するように構成される、項目２５から２７のいずれか一項に記載の装置。
（項目２９）
専用コアネットワークに適用されるアクセスデバイスであって、上記アクセスデバイスは、プロセッサと、メモリと、通信インタフェースとを備え、
上記メモリはソフトウェアプログラム及びモジュールを格納するように構成され、
上記プロセッサは上記メモリに格納された上記ソフトウェアプログラム及び／又は上記モジュールを起動又は実行して、以下のオペレーション、すなわち、
無線アクセスネットワークノードＲＡＮ  Ｎｏｄｅによって送信されたユーザ機器ＵＥのアクセス要求を受信するオペレーションと、
上記ＵＥの上記アクセス要求に基づいて上記ＵＥの使用種別を判定するオペレーションと、
上記ＵＥの上記使用種別に基づいて上記ＵＥ用に、専用コアネットワーク内にあり且つ上記ＵＥにサービスを提供できるノードを選択するオペレーションであって、上記専用コアネットワーク内にあり且つ上記ＵＥにサービスを提供できる上記ノードは、上記ＵＥの上記使用種別に対応する、オペレーションと
を実施する、アクセスデバイス。
（項目３０）
専用コアネットワークに適用されるアクセスデバイスであって、上記アクセスデバイスは、プロセッサと、メモリと、通信インタフェースとを備え、
上記メモリはソフトウェアプログラム及びモジュールを格納するように構成され、
上記プロセッサは、上記メモリに格納された上記ソフトウェアプログラム及び／又は上記モジュールを起動又は実行して、以下のオペレーション、すなわち、
ユーザ機器ＵＥによって送信されたアクセス要求を受信するオペレーションと、
上記ＵＥのソース専用コアネットワークのノードの識別子が上記アクセス要求から取得できない場合、又は上記アクセス要求で搬送されるソース専用コアネットワークのノードの識別子が、事前設定されたノード識別子テーブルにない場合、上記ソース専用コアネットワークの上記ノードが到達不能であると判定するオペレーションと、
上記アクセス要求を選択機能エンティティＳＦＥに送信するオペレーションと
を実施する、アクセスデバイス。
（項目３１）
アクセスシステムであって、
無線アクセスネットワークノードＲＡＮ  Ｎｏｄｅによって送信されたユーザ機器ＵＥのアクセス要求を受信し、上記ＵＥの上記アクセス要求に基づいて上記ＵＥの使用種別を判定し、上記ＵＥの上記使用種別に基づいて上記ＵＥ用に、専用コアネットワーク内にあり且つ上記ＵＥにサービスを提供できるノードを選択するように構成された選択機能エンティティＳＦＥであって、上記専用コアネットワーク内にあり且つ上記ＵＥにサービスを提供できる上記ノードは、上記ＵＥの上記使用種別に対応する、選択機能エンティティＳＦＥと、
上記ユーザ機器ＵＥによって送信された上記アクセス要求を受信し、上記ＵＥのソース専用コアネットワークのノードの識別子が上記アクセス要求から取得できない場合、又は上記アクセス要求で搬送されるソース専用コアネットワークのノードの識別子が、事前設定されたノード識別子テーブルにない場合、上記ソース専用コアネットワークの上記ノードが到達不能であると判定し、上記アクセス要求を上記選択機能エンティティＳＦＥに送信するように構成された上記無線アクセスネットワークノードＲＡＮ  Ｎｏｄｅと
を備えるシステム。
【国際調査報告】
2019514273.tif 000015
2019514273.tif 000016
2019514273.tif 000017
2019514273.tif 000018